(57)【要約】【課題】  互いに係合可能な関係のマウントを備えた撮像装置およびアクセサリ同士の誤装着を防止すること。【解決手段】  第１のマウント、第２のマウントを備えたアダプタ装置であって、第１のマウントは、周方向に、第１のマウント凹部、第１のマウント爪、第２のマウント凹部、第２のマウント爪、第３のマウント凹部、第３のマウント爪が配され、第２のマウントは、周方向に、第４のマウント爪、第４のマウント凹部、第５のマウント爪、第５のマウント凹部、第６のマウント爪、第６のマウント凹部が配され、第１〜３のマウント爪は、撮像装置のマウント凹部に挿入でき、第４〜６のマウント爪は、アクセサリのマウント凹部に挿入でき、第１〜３のマウント凹部のうち、第１のマウントの周方向における最小の角度範囲が、第４〜６のマウント爪のうち、第２のマウントの周方向における最小の角度範囲以下であることを特徴とする構成とした。【選択図】  図１１
2020024464.tif 000002
【特許請求の範囲】
【請求項１】
一方に第１のマウントを備え、他方に第２のマウントを備え、前記第１のマウントが撮像装置、前記第２のマウントがアクセサリに着脱できるアダプタ装置であって、
前記第１のマウントは、周方向に沿って、第１のマウント凹部、第１のマウント爪、第２のマウント凹部、第２のマウント爪、第３のマウント凹部、第３のマウント爪が配され、
前記第２のマウントは、周方向に沿って、第４のマウント爪、第４のマウント凹部、第５のマウント爪、第５のマウント凹部、第６のマウント爪、第６のマウント凹部が配され、
前記第１、第２、第３のマウント爪は、前記撮像装置に設けられたマウント凹部に挿入可能であって、
前記第４、第５、第６のマウント爪は、前記アクセサリに設けられたマウント凹部に挿入可能であって、
前記第１、第２、第３のマウント凹部のうち、前記第１のマウントの前記周方向における角度範囲のうちの最小の角度範囲が、前記第４、第５、第６のマウント爪のうち、前記第２のマウントの前記周方向にける角度範囲のうちの最小の角度範囲以下であることを特徴とするアダプタ装置。
【請求項２】
前記第１のマウントおよび前記第２のウントは、それぞれの周方向に沿って、電気的な接続可能とする複数の端子を有していることを特徴とする請求項１に記載のアダプタ装置。
【請求項３】
前記アダプタ装置は、前記第１のマウントおよび前記第２のマウントのマウント径が略同一であることを特徴とする請求項１又は２に記載のアダプタ装置。
【請求項４】
前記第１のマウントに配された前記第１、第２、第３のマウント凹部のうち、互いに隣り合う２つのマウント凹部の前記周方向における角度範囲は、前記第２のマウントに配された前記第４、第５、第６のマウント爪のうち、互いに隣り合う２つのマウント爪の前記周方向における角度範囲以下であることを特徴とする請求項１乃至３の何れか一項に記載のアダプタ装置。
【請求項５】
前記第１のマウントに配された前記第１、第２、第３のマウント凹部のうち、互いに隣り合う２つのマウント凹部の前記周方向における角度範囲は、前記第２のマウントに配された前記第４、第５、第６のマウント爪の全ての前記周方向の角度範囲以下であることを特徴とする請求項１乃至４の何れか一項に記載のアダプタ装置。
【請求項６】
前記第１のマウントは、前記第１、第２、第３のマウント凹部と前記第１、第２、第３のマウント爪に対応した複数のマウント凹部およびマウント爪が配された第３のマウントとバヨネット結合方式で結合することで、前記第３のマウントを備えた前記撮像装置に前記アダプタ装置の着脱ができ、前記アダプタ装置が前記撮像装置に装着された状態で、前記第１、第２、第３のマウント爪が前記第３のマウントに配された前記複数のマウント爪と前記第１のマウントの中心軸方向で係合することを特徴とする請求項１乃至５の何れか一項に記載のアダプタ装置。
【請求項７】
前記アダプタ装置は、前記第１のマウントの前記第１、第２、第３のマウント爪が、前記第３のマウントの前記複数のマウント凹部の対応するマウント凹部に挿入された第１の状態と、当該第１の状態から前記周方向への前記第１のマウントと前記第３のマウントとの相対的な回転により、前記第１、第２、第３のマウント爪が前記第３のマウントの前記複数のマウント爪のうちの対応するマウント爪と光軸方向で係合する第２の状態とに遷移可能であって、
前記第２の状態は、前記アダプタ装置が前記撮像装置に装着された状態であることを特徴とする請求項６に記載のアダプタ装置。
【請求項８】
前記第１のマウントは、前記第１のマウントと前記第３のマウントとがバヨネット結合方式での結合が完了した状態で、前記第１のマウントと前記第３のマウントとの前記周方向への相対的な回転を規制する規制手段を有し、
前記第１のマウントが前記撮像装置に装着されている際に、当該撮像装置が装着されている側から前記第１のマウントを見た場合に、
前記第１のマウント爪は、前記周方向において前記規制手段から１５９°から２１２°の範囲に配され、
前記第２のマウント爪は、前記周方向において前記規制手段から２５６°から３１８°の範囲に配され、
前記第３のマウント爪は、前記周方向において前記規制手段から５４°から１０７°の範囲に配されていることを特徴とする請求項６又は７に記載のアダプタ装置。
【請求項９】
前記第２のマウントは、前記第４、第５、第６のマウント凹部と前記第４、第５、第６のマウント爪に対応した複数のマウント凹部およびマウント爪が配された第４のマウントとバヨネット結合方式で結合することで、前記第４のマウントを備えた前記アクセサリに対する着脱ができ、前記アダプタ装置が前記アクセサリに装着された状態で、前記第４、第５、第６のマウント凹部が前記第４のマウントに配された複数のマウント爪と前記第２のマウントの中心軸方向で係合することを特徴とする請求項１乃至８の何れか一項に記載のアダプタ装置。
【請求項１０】
一方に第１のマウントを備え、他方に第２のマウントを備え、第１のマウントが撮像装置、前記第２のマウントがアクセサリに着脱できるアダプタ装置であって、
前記第１のマウントは、周方向に沿って、第１のマウント凹部、第１のマウント爪、第２のマウント凹部、第２のマウント爪、第３のマウント凹部、第３のマウント爪が配され、
前記第２のマウントは、周方向に沿って、第４のマウント爪、第４のマウント凹部、第５のマウント爪、第５のマウント凹部、第６のマウント爪、第６のマウント凹部が配され、
前記第１、第２、第３のマウント爪は、前記撮像装置に設けられたマウント凹部に挿入可能であって、
前記第４、第５、第６のマウント爪は、前記アクセサリに設けられたマウント凹部に挿入可能であって、
前記第１、第２、第３のマウント凹部のうち、前記第１のマウントの前記周方向における角度範囲のうちの最大の角度範囲よりも、前記第４、第５、第６のマウント爪のうち、前記第２のマウントの前記周方向における角度範囲のうちの最大の角度範囲の方が小さいことを特徴とするアダプタ装置。
【請求項１１】
前記第１のマウントおよび前記第２のマウントは、それぞれの周方向に沿って、電気的な接続を可能とする複数の端子を有していることを特徴とする請求項１０に記載のアダプタ装置。
【請求項１２】
前記アダプタ装置は、前記第１のマウントおよび前記第２のマウントのマウント径が略同一であることを特徴とする請求項１０又は１１に記載のアダプタ装置。
【請求項１３】
前記第４、第５、第６のマウント爪および前記第４、第５、第６のマウント凹部のうち、前記第２のマウントの中心軸方向から前記第２のマウントを見た場合に、基準となる１つのマウント凹部と、当該１つのマウント凹部と隣り合う一方のマウント凹部と、その間に位置するマウント爪の前記周方向における角度範囲の総和が、前記第１、第２、第３のマウント凹部および前記第１、第２、第３のマウント爪のうち、前記第２のマウントの中心軸方向から前記第１のマウントを見た場合に、基準となる１つのアクセサリ側のマウント爪と、当該１つのアクセサリ側のマウント爪に隣り合う一方のマウント爪と、その間に位置するマウント凹部の前記周方向における角度範囲の総和よりも小さく、
前記第２のマウントの中心軸方向から前記第２のマウントを見た場合に、前記基準となるカメラ側のマウント凹部と、当該基準となるカメラ側のマウント凹部と隣り合う他方のマウント凹部と、その間に位置するマウント爪の前記周方向における角度範囲の総和が、前記第２のマウントの中心軸方向から前記第２のマウントを見た場合に、前記基準となるアクセサリ側のマウント爪、当該基準となるアクセサリ側のマウント爪と隣り合う他方のマウント爪と、その間に位置するマウント凹部の前記周方向における角度範囲の総和以下であることを特徴とする請求項１０乃至１２の何れか一項に記載のアダプタ装置。
【請求項１４】
少なくとも、前記第２のマウントの中心軸方向から前記第２のマウントを見た場合の、前記第６のマウント凹部と第４のマウント凹部とその間に位置する前記第４のマウント爪の前記周方向における角度範囲の総和と、前記第４のマウント凹部と第５のマウント凹部とその間に位置する第５のマウント爪の前記周方向における角度範囲の総和とが、
前記第１のマウントの中心軸方向から前記第１のマウントを見た場合の、前記第３のマウント爪と前記第１のマウント爪とその間に位置する前記第１のマウント凹部の前記周方向における角度範囲の総和と、前記第１のマウント爪と前記第２のマウント爪とその間に位置する前記第２のマウント凹部の前記周方向における角度範囲の総和と、前記第２のマウント爪と前記第３のマウント爪とその間に位置する前記第３のマウント凹部の前記周方向における角度範囲の総和以下であることを特徴とする請求項１０乃至１３の何れか一項に記載のアダプタ装置。
【請求項１５】
前記第２のマウントは、前記第４、第５、第６のマウント爪と前記第４、第５、第６のマウント凹部に対応した複数のマウント凹部およびマウント爪が配された第４のマウントとバヨネット結合方式で結合することで、前記第４のマウントを備えた前記アクセサリに対する前記アダプタ装置の着脱ができ、前記アダプタ装置が前記アクセサリに装着された状態で、前記第４、第５、第６のマウント爪が前記第４のマウントに配された前記複数のマウント爪と前記第２のマウントの中心軸方向で係合することを特徴とする請求項１０乃至１４の何れか一項に記載のアダプタ装置。
【請求項１６】
前記アダプタ装置は、前記第２のマウントの前記第４、第５、第６のマウント爪が、前記第４のマウントの前記複数のマウント凹部の対応するマウント凹部にそれぞれ挿入された第１の状態と、当該第１の状態から前記周方向への前記第２のマウントと前記第４のマウントとを相対的に回転させることにより、前記第４、第５、第６のマウント爪が前記第４のマウントの前記複数のマウント爪のうちの対応するマウント爪とそれぞれ前記第２のマウントの中心軸方向で係合する第２の状態とに遷移可能であって、
前記第２の状態は、前記アダプタ装置が前記アクセサリに装着された状態であることを特徴とする請求項１５に記載のアダプタ装置。
【請求項１７】
前記第２のマウントは、前記第２のマウントと前記第４のマウントとが、バヨネット結合方式での結合が完了した状態で、前記第２のマウントと前記第４のマウントとの前記周方向への相対的な回転を規制する規制手段を有し、
前記第２のマウントを前記第４のマウントが設けられた側から見た場合に、
前記第４のマウント爪は、前記規制手段から１６９°から２１７°の範囲に配され、
前記第５のマウント爪は、前記規制手段から２７４°から３１４°の範囲に配され、
前記第６のマウント爪は、前記規制手段から２０°から１１２°の範囲に配されていることを特徴とする請求項１５又は１６に記載のアダプタ装置。
【請求項１８】
第１のマウントを備えるアクセサリを装着可能な撮像装置であって、前記第１のマウントに設けられた複数の爪に対してバヨネット結合方式での結合が可能な複数のマウント爪を備える第２のマウントを有し、
前記複数のマウント爪は、前記第２のマウントの周方向に配された、第１のマウント爪と、前記周方向における角度範囲が前記第１のマウント爪の角度範囲以下である第２のマウント爪および第３のマウント爪と、を含み、
前記撮像装置の正位置において、前記第２のマウントの中心軸方向から前記撮像装置を見た場合に、前記第２のマウントの中心から重力方向および当該重力方向とは反対方向に延びる線を第１のマウント中心線とし、前記第１のマウント中心線と直交する線を第２のマウント中心線とした場合、
前記第２のマウントの径方向において、前記第１のマウント爪が前記第１のマウント中心線と重畳し、前記第２のマウント爪および前記第３のカメラマウント爪の少なくとも一方が前記第２のマウント中心線と重畳し、
前記第２のマウントにおける前記第１のマウント爪の角度範囲は、前記第２のマウントにおける前記第２のマウント爪の角度範囲と前記第３のマウント爪の角度範囲の総和以上であることを特徴とする撮像装置。
【請求項１９】
前記撮像装置の前記正位置において前記第２のマウントの中心軸方向から前記撮像装置を見た場合に、前記第２のマウントの前記周方向において、前記第２のマウント中心線を基準として前記重力方向とは反対を含む側における前記複数のマウント爪部の角度範囲の総和が、前記第２のマウント中心線を基準とした前記重力方向を含む側における前記複数のマウント爪部の角度範囲の総和以上である、ことを特徴とする請求項１８に記載の撮像装置。
【請求項２０】
前記第２のマウントと前記第１のマウントとがバヨネット結合された状態で前記アクセサリに設けられたロック溝に嵌合するロック部材を有し、
前記ロック部材は、前記第２のマウント中心線と重畳する前記第２のマウント爪および前記第３のマウント爪の少なくとも一方と、前記第１のマウント中心線を挟んで反対側に設けられていることを特徴とする請求項１８又は１９に撮像装置。
【請求項２１】
前記第２のマウントは、前記第１のマウント爪と前記第２のマウント爪との間に、前記第１のマウントに設けられた前記複数の爪のうちの第４のマウント爪を挿入可能な第１のマウント凹部と、前記第２のマウント爪と前記第３のマウント爪との間に、前記第１のマウントに設けられた前記複数の爪のうちの第５のマウント爪を挿入可能な第２のマウント凹部と、前記第３のマウント爪と前記第１のマウント爪との間に、前記第１のマウントに設けられた前記複数の爪のうちの第６のマウント爪を挿入可能な第３のマウント凹部と、を有し、
前記第１のマウント凹部は、前記第２のマウントの前記周方向における角度範囲が、前記第２のマウント凹部および前記第３のマウント凹部の前記周方向における角度範囲以上であることを特徴とする請求項１８乃至２０の何れか一項に記載の撮像装置。
【請求項２２】
前記第２のマウントの前記周方向における角度範囲は、前記第１のマウント爪が９２°、第２のマウント爪が４８°、第３のマウント爪が４０°であることを特徴とする請求項２１に記載の撮像装置。
【請求項２３】
第１のマウントを備える撮像装置に装着可能なアクセサリであって、前記第１のマウントに設けられた複数の爪に対してバヨネット結合方式での結合が可能な複数のマウント爪および複数のマウント凹部を備える第２のマウントを有し、
前記複数のマウント凹部は、前記第２のマウントの周方向において配された、第１のマウント凹部と、前記第２のマウントの前記周方向における角度範囲が前記第１のマウント凹部の角度範囲以下である第２のマウント凹部および第３のマウント凹部と、を含み、
前記アクセサリが装着された前記撮像装置の正位置において前記第２のマウントの中心軸方向から見た場合に、前記第２のマウントの中心から重力方向および当該重力方向とは反対方向に延びる線を第１のマウント中心線とした場合、
当該第１のマウント中心線は、前記複数のマウント凹部の何れも重畳せず、
前記第１のマウント凹部は、前記第２のマウントに占める角度範囲が、前記第２のマウントに占める前記第２のマウント凹部の角度範囲と前記第３のマウント凹部の角度範囲の総和以上であることを特徴とするアクセサリ。
【請求項２４】
前記第２のマウントの径方向において、前記複数のマウント爪として、第１のマウント爪、第２のマウント爪、第３のマウント爪を有し、このうちの少なくとも２つの爪が前記第１のマウント中心線と重畳することを特徴とする請求項２３に記載のアクセサリ。
【請求項２５】
前記アクセサリは、前記複数の爪の間に前記複数のマウント爪が挿入された第１の状態と、前記複数の爪と前記複数のマウント爪とが光軸方向において互いに係合することで前記第１のマウントに対して前記第２のマウントの結合が完了した第２の状態とに遷移できることを特徴とする請求項２３又は２４に記載のアクセサリ。
【請求項２６】
前記第１のマウント爪および前記第２のマウント爪は、前記第２のマウントの径方向において、前記第１のマウント中心線と重畳することを特徴とする請求項２４又は乃至２５の何れか一項に記載のアクセサリ。
【請求項２７】
前記アクセサリが前記撮像装置に装着された状態で、前記第２のマウントの中心軸方向から前記アクセサリが装着されている側から見た場合に、前記第１のマウント中心線と直交する線を第２のマウント中心線とし、
前記第３のマウント爪は、前記第２のマウントの径方向において、前記第２のマウント中心線と重畳することを特徴とする請求項２６に記載のアクセサリ。
【請求項２８】
前記第２のマウントと前記第１のマウントとがバヨネット結合された状態で前記撮像装置に設けられたロック部材が嵌合するロック溝を有し、
前記ロック溝は、前記第２のマウントの径方向において、前記第２のマウント中心線と重畳する第３のマウント爪と前記第１のマウント中心線を挟んで反対側に設けられていることを特徴とする請求項２７に記載のアクセサリ。
【請求項２９】
前記第２のマウントは、前記第１のマウント凹部に、前記第１のマウントに設けられた前記複数の爪のうちの第４のマウント爪を挿入可能であって、前記第２のマウント凹部に、前記第１のマウントに設けられた前記複数の爪のうちの第５のマウント爪を挿入可能であって、前記第３のマウント凹部に、前記第１のマウントに設けられた前記複数の爪のうちの第６のマウント爪を挿入可能であることを特徴とする請求項２３乃至２８の何れか一項に記載のアクセサリ。
【発明の詳細な説明】
【技術分野】
【０００１】
本発明は、アダプタ装置、撮像装置およびアクセサリに関する。
【背景技術】
【０００２】
従来、交換レンズ等のアクセサリ（カメラアクセサリ）は、デジタルカメラ（以下、単にカメラと称す）などの撮像装置に装着された状態で、該カメラから電源の供給や、該カメラとの間で命令やデータ等の通信が可能であることが知られている。このような電源の供給や通信を可能とするために、カメラとアクセサリの装着部であるマウントに、互いに接触することで電気的な接続が可能な接点（端子）を複数設けることが知られている。
【０００３】
また、カメラに対するアクセサリの装着（結合）は、カメラおよびアクセサリ双方のマウントを相対回転させて、それぞれに設けられたバヨネット爪を互いに係合させる所謂バヨネット結合方式を採用したマウントシステムが知られている。
【０００４】
上述したようなマウントシステムを採用したカメラ、及びアクセサリは、それぞれが対応する組み合わせが予め定められている。例えば、カメラにおけるフランジバックの長さに応じて、対応するアクセサリ（例えば交換レンズなど）が異なる。換言すると、カメラのフランジバックに対して、対応していないアクセサリも存在する。
【０００５】
そして、カメラに対応していないアクセサリが装着された場合は不具合が生じる虞がある。例えば、所定のフランジバックを有するカメラに対応していない交換レンズが装着された場合、交換レンズを介して入射された被写体の光学像がカメラにおける撮像面で焦点を結ぶことができないなどの不具合が生じる。したがって、互いに対応しない組み合せで、カメラとアクセサリとが接続されることを制限する必要がある。
【０００６】
特に、対応するカメラが異なる複数のアクセサリ同士のマウントの径が略同一である場合、カメラおよびアクセサリの外観から両者が互いに対応している組合せであるか否かを判断するのは困難である。
【０００７】
特許文献１には、フランジバックが同一であって、バックフォーカスが短いレンズの突出部がカメラボディに設けられた壁部に当接することで、バックフォーカスが短いレンズを装着できないカメラボディへの当該レンズの誤装着を防止する技術が提案されている。
【先行技術文献】
【特許文献】
【０００８】
【特許文献１】特開２００５−７０７１２号公報
【発明の概要】
【発明が解決しようとする課題】
【０００９】
しかしながら、上述した特許文献１に開示された技術では、同一のマウントシステムを採用するフランジバックが同一でバックフォーカスが短いレンズの対応しないカメラへの誤装着を防止することについて言及しているだけである。したがって、特許文献１に開示されている技術では、フランジバックが異なるアクセサリの対応しないカメラへの誤装着を防止することはできない。
【００１０】
また、特許文献１に開示された技術では、対応しないレンズの突出部が当接するようにカメラ側に壁部を設けるため、カメラに対するレンズの誤装着を防ぐために、マウントに新たな構成を設ける必要があり、部品点数や製造コストが増加してしまう。
【００１１】
また、例えば、フランジバックの短いカメラに、マウント径が略同一であってフランジバックの長い交換レンズを装着する場合、カメラと交換レンズの間に変換アダプタを介する必要がある。この場合、変換アダプタの両側はマウント径が略同一であるため、変換アダプタに対するカメラおよびアクセサリの誤装着が発生しやすいという問題がある。
【００１２】
本発明の目的は、互いに係合可能な関係のマウントを備えた撮像装置およびアクセサリ同士の誤装着を防止することである。
【課題を解決するための手段】
【００１３】
上記目的を達成するために、本発明のアダプタ装置は、一方に第１のマウントを備え、他方に第２のマウントを備え、前記第１のマウントが撮像装置、前記第２のマウントがアクセサリに着脱できるアダプタ装置であって、前記第１のマウントは、周方向に沿って、第１のマウント凹部、第１のマウント爪、第２のマウント凹部、第２のマウント爪、第３のマウント凹部、第３のマウント爪が配され、前記第２のマウントは、周方向に沿って、第４のマウント爪、第４のマウント凹部、第５のマウント爪、第５のマウント凹部、第６のマウント爪、第６のマウント凹部が配され、前記第１、第２、第３のマウント爪は、前記撮像装置に設けられたマウント凹部に挿入可能であって、前記第４、第５、第６のマウント爪は、前記アクセサリに設けられたマウント凹部に挿入可能であって、前記第１、第２、第３のマウント凹部のうち、前記第１のマウントの前記周方向における角度範囲のうちの最小の角度範囲が、前記第４、第５、第６のマウント爪のうち、前記第２のマウントの前記周方向にける角度範囲のうちの最小の角度範囲以下であることを特徴とする。
【発明の効果】
【００１４】
本発明によれば、互いに係合可能な関係のマウントを備えた撮像装置およびカメラアクセサリ同士の誤装着を防止することができる。
【図面の簡単な説明】
【００１５】
【図１】本発明の実施形態に係るカメラアクセサリおよび撮像装置のブロック図である。
【図２】本発明の実施形態に係るカメラ本体１０と第１のレンズユニット１００の外観斜視図である。
【図３】本発明の実施形態に係るカメラ本体１０と第１のレンズユニット１００の分解斜視図である。
【図４】本発明の実施形態に係るカメラマウント２０１をカメラ本体１０の撮影者側（カメラ本体１０の背面側）から見た場合を例示的に説明する図である。
【図５】本発明の実施形態に係るカメラ本体１０の正位置におけるカメラ本体１０と第１のレンズユニット１００のカメラ爪による係合を例示的に説明する図である。
【図６】本発明の実施形態に係るカメラ本体１０の縦位置におけるカメラ本体１０と第１のレンズユニット１００のレンズ爪による係合を例示的に説明する図である。
【図７】本発明の実施形態に係るレンズマウント３０１を、カメラ本体１０に第１のレンズユニット１００が装着された状態で背面側（カメラ本体１０が取り付けられる側）から見た場合を例示的に説明する図である。
【図８】本発明の実施形態に係るカメラマウント２０１を前面側（被写体）から見た外観図である。
【図９】本発明の実施形態に係るレンズマウント３０１を、カメラマウント２０１が装着される側（背面側）から見た外観図である。
【図１０】本発明の実施形態に係るカメラ本体１０と第１のレンズユニット１００における各端子同士の接触状態を例示的に説明する図である。
【図１１】カメラ本体１０に装着可能な第１の変換アダプタ４０および第２のレンズユニット５０を説明する図である。
【図１２】カメラ本体６０に装着可能な第２の変換アダプタ７０および第１のレンズユニット１００を説明する図である。
【図１３】第１の変換アダプタ４０の一方の端に設けられたカメラマウント４０１におけるバヨネット爪の設置角度を例示的に説明する図である。
【図１４】第１の変換アダプタ４０の他方の端に設けられたレンズマウント３０１におけるバヨネット爪の設置角度を例示的に説明する図である。
【図１５】互いに干渉する爪と凹部とを有する所定の撮像装置１０００と所定のレンズユニット２０００との装着方法を例示的に説明する図である。
【図１６】本発明の実施形態に係るカメラマウント４０１側に対してレンズマウント３０１側を装着しようとした際の、爪同士の干渉する様子を例示的に説明した図である。
【図１７】本発明の実施形態に係るレンズマウント３０１側およびカメラマウント４０１側において、対応しない爪を凹部に挿入しようとする場合を例示的に説明する図である。
【図１８】第２の変換アダプタ７０の一方の端に設けられたカメラマウント２０１におけるバヨネット爪の設置角度を例示的に説明する図である。
【図１９】第２の変換アダプタ７０の他方の端に設けられたレンズマウント５０１におけるバヨネット爪の設置角度を例示的に説明する図である。
【図２０】本発明の実施形態に係るカメラマウント２０１側の基準となる凹部にレンズマウント５０１側の基準となる爪を装着しようとした際の、爪同士の干渉する様子を例示的に説明した図である。
【図２１】本発明の実施形態に係るカメラマウント２０１側の基準となる凹部にレンズマウント５０１側の基準以外の爪を装着しようとした際の、爪同士の干渉する様子を例示的に説明した図である。
【図２２】本発明の実施形態に係るカメラマウント４０１側とレンズマウント５０１側のそれぞれに設けられた爪部同士を係合させた状態を例示的に説明する図である。
【図２３】本発明の変形例に係るマウント機構５０００の分解斜視図である。
【図２４】本発明の変形例に係るマウント機構５０００の非結合状態について例示的に説明する図である。
【図２５】本発明の変形例に係るマウント機構５０００の結合状態について例示的に説明する図である。
【発明を実施するための形態】
【００１６】
図１は、本発明の実施形態に係るカメラアクセサリおよび撮像装置のブロック図である。図１（ａ）は、本発明の実施形態であるアクセサリとしての第１のレンズユニット（以下、第１のレンズと称す）１００と、該第１のレンズ１００を直接着脱できる第１の撮像装置としてのカメラ本体１０を含むカメラシステムを例示的に説明する図である。また、図１（ｂ）は、第１のレンズ１００およびカメラ本体１０が有するマウント部１の構成を説明する図である。なお、図１においては、第１のレンズ１００およびカメラ本体１０に設けられたそれぞれのマウントの双方を総称してマウント部１と称す。第１のレンズ１００およびカメラ本体１０に設けられた各マウントについては後述する。
【００１７】
図１（ａ）に図示するように、カメラ本体１０は、第１のレンズ１００の内部に設けられた撮影レンズ群１０１によって導かれた被写体の光学像を光電変換して電気信号を出力するＣＭＯＳセンサ等の電荷蓄積型の固体撮像素子（以下、単にセンサと称す）１１を有する。また、カメラ本体１０は、撮像センサ１１から出力されたアナログ電気信号をデジタル信号に変換するＡ／Ｄ変換部１２と、該デジタル信号に対する種々の各種画像処理を行うことで映像信号を生成する画像処理部１３とを有する。画像処理部１３にて生成された映像信号（静止画像や動画像）は、表示部１４に表示可能、および記録媒体１５に記録可能である。
【００１８】
また、カメラ本体１０は、メモリ１６を有する。このメモリ１６は、映像信号に対する処理を行う際のバッファとしての機能を果たすとともに、後述するカメラ制御部１８が用いる動作プログラム（コンピュータプログラム）を格納する。
【００１９】
また、カメラ本体１０は、電源のオン／オフを行うための電源スイッチ、映像信号の記録を開始させる撮影スイッチ（レリーズスイッチ）および各種メニューの設定を行うための選択／設定スイッチ等を含むカメラ操作入力部１７を有する。また、カメラ本体１０は、カメラ本体１０および第１のレンズ１００の動作を統括的に制御するマイクロプロセッサ（コンピュータとしてのＣＰＵ）を含むカメラ制御部１８を有する。カメラ制御部１８は、例えば、カメラ操作入力部１７から入力された信号に基づき各種設定を行う、または、マウント部１を介して第１のレンズ１００に備えられたレンズ制御部１０３との通信を制御する。
【００２０】
一方、第１のレンズ１００は、ズームレンズ、シフトレンズ、フォーカスレンズ等の複数のレンズ群および絞りなどの光量調節部材を備えた光学部材である撮影レンズ群１０１を有する。また、第１のレンズ１００は、当該複数のレンズ群や絞りなどの光学部材を移動または動作させるアクチュエータを備えるとともに当該アクチュエータを駆動するレンズ駆動部１０２を有する。また、第１のレンズ１００は、第１のレンズ１００の動作を統括的に制御するレンズ用のマイクロプロセッサ（ＬＣＰＵ）を含むレンズ制御部１０３を有する。レンズ制御部１０３は、例えば、マウント部１を介してカメラ制御部１８との通信を行うことでレンズ駆動部１０２を制御する。
【００２１】
（マウント部１の基本構成）
次に、図１（ｂ）を参照して、カメラ本体１０側に設けられたカメラマウント面Ａと第１のレンズ１００側に設けられたアクセサリマウント面Ｂを含むマウント部１の構成について説明する。なお、カメラマウントおよびアクセサリマウントは、ロック機構、マウント保持機構および複数の電気端子を含んでいる。各マウントの詳細については後述する。
【００２２】
図１（ｂ）に図示するように、マウント部１は、カメラ本体１０と第１のレンズ１００とを、互いに電気的に接続可能な複数の端子を備えている。当該複数の端子は、カメラマウント面Ａにおいては、接点保持部材２０３に設けられた複数のカメラ側接点ピンとしてカメラ本体１０の外部に露出している。また、当該複数の端子は、アクセサリマウント面Ｂにおいては、接点面保持部材３０３に設けられた複数のアクセサリ側接点面としてカメラアクセサリ（例えば第１のレンズ１００）の外部に露出している。カメラ本体１０側およびカメラアクセサリ（例えば第１のレンズ１００）側の各接点ピンおよび接点面は、カメラ本体１０にカメラアクセサリが装着された状態で互いに対応する接点同士が電気的に接続される。
【００２３】
カメラ電源部１９は、装着されたカメラアクセサリに対して、ＶＤＤ端子を介して給電するための電源、または電源切り替え部２０を介して第１通信用Ｉ／Ｆ部２１ａに供給するための電源として、通信制御用電源（ＶＤＤ）を生成する。また、カメラ電源部１９は、装着されたカメラアクセサリに対してＶＢＡＴ端子を介して給電するための電源として、駆動用電源（ＶＢＡＴ）を生成する。
【００２４】
また、カメラ電源部１９は、カメラ制御部１８および第１通信用Ｉ／Ｆ部２１ａと第２・第３通信用Ｉ／Ｆ部２１ｂへと供給するための電源として、３．３Ｖの電源を生成する。また、カメラ電源部１０３は、電源切り替え部２０を介して第１通信用Ｉ／Ｆ部２１ａと第２・第３通信用Ｉ／Ｆ部２１ｂへ供給するための電源として、３．０Ｖの電源を生成する。
【００２５】
電源切り替え部２０は、カメラ電源部１９と接続されている。そして電源切り替え部２０は、カメラ電源部１９で生成されたＶＤＤと３．０Ｖの電源のうちの何れか一方のみを通信インターフェース用の電源Ｖｓとして第１通信用Ｉ／Ｆ部２１ａに対して供給する。なお、電源電圧の切り替えは、カメラ制御部１８からの指示に従い実行される。
【００２６】
次に、レンズ電源部１０４は、カメラ本体１０側から供給されたＶＤＤに基づいて、レンズ制御部１０３、及び、レンズ側Ｉ／Ｆ部１０６へと供給するための電源電圧として３．０Ｖの電源を生成する。
【００２７】
また、第１のレンズ１００がカメラ本体１０に装着された状態で、第１のレンズ１００側の駆動回路部１０５には、前述したカメラ電源部１９からＶＢＡＴ端子を介して駆動用電源（ＶＢＡＴ）が供給される。
【００２８】
なお、本実施形態ではレンズ制御部１０３とレンズ側Ｉ／Ｆ部１０６の電源電圧のレベルを同一（３．０Ｖ）としているが、レンズ制御部１０３が示す電圧レベルは３．３Ｖとに設定する構成であってもよい。この場合、レンズ側Ｉ／Ｆ部２０２に対して３．０Ｖと３．３Ｖの電圧レベルの電源を供給する必要があるため、レンズ電源部１０４は、３．０Ｖおよび３．３Ｖの電源を生成する。
【００２９】
以降は、カメラマウント面Ａおよびアクセサリマウント面Ｂの双方に共通する各端子の機能について説明する。ＶＤＤ端子２０３ａ、３０３ａは、主に通信制御に用いられる通信電力としての通信制御用電源（ＶＤＤ）をカメラ本体１０からカメラアクセアクセサリ（例えば第１のレンズ１００）に電源供給する端子である。なお、第１のレンズ１００に対して供給する電源の電圧は５．０Ｖとするが、カメラ本体１０に装着されるアクセサリの種類に応じて供給電源の電圧は変化する。
【００３０】
ＶＢＡＴ端子２０３ｂ、３０３ｂは、絞りやフォーカスレンズの駆動に用いるアクチュエータの機械的な駆動部の動作に用いる駆動電力としての駆動用電源（ＶＢＡＴ）をカメラ側からカメラアクセサリ側に電源供給する端子である。換言すると、ＶＢＡＴ端子２０３ｂ、３０３ｂは、前述した通信電力以外の電源を供給するために用いる端子である。なお、第１のレンズ１００に対して供給する駆動電力としての電源の電圧は４．２５Ｖとする。以上説明したＶＤＤ端子２０３ａ、３０３ａおよびＶＢＡＴ端子２０３ｂ、３０３ｂは、カメラ本体１０から例えばカメラアクセサリに電源を供給するための電源系端子である。
【００３１】
ＤＧＮＤ端子２０３ｍ、３０３ｍは、通信制御用電源ＶＤＤに対応した接地端子（ＧＮＤ端子）である。なお、本実施形態において接地とは、グランド端子の電圧のレベルを電池などの電源の負極側と略同一のレベルにすることである。
【００３２】
ＰＧＮＤ端子２０３ｄ、３０３ｄは、カメラ本体１０とカメラアクセサリ（例えば第１のレンズ１００）側に設けられたモータ（アクチュエータ）等を含む機械的な駆動系とをグラウンドレベルに接続するグランド端子である。すなわち、ＰＧＮＤ端子２０３ｄ、３０３ｄは、駆動用電源ＶＢＡＴに対応した接地端子（ＧＮＤ端子）である。以上説明したＤＧＮＤ端子２０３ｍ、３０３ｍおよびＰＧＮＤ端子２０３ｄ、３０３ｄは、カメラ本体１０とカメラアクセサリの各種電源系とをグランドレベルに接地するためのグランド端子である。
【００３３】
ＭＩＦ端子２０３ｅ、３０３ｅは、カメラ本体１０にカメラアクセサリ（例えば第１のレンズ１００）が装着されたことを検出する端子である。本実施形態では、ＭＩＦ端子２０３ｅ、３０３ｅは、カメラ本体１０に第１のレンズ１００が装着されたことを検出する。
【００３４】
カメラ制御部１８は、ＭＩＦ端子２０３ｅ、３０３ｅが示す電圧のレベルを検出することで、カメラ本体１０にカメラアクセサリが装着されたことや離脱されたことを検出する。そして、カメラ制御部１８は、当該検出により、例えばカメラアクセサリの装着を検出した後に、電源系端子への電源供給を開始し、カメラ本体１０とカメラアクセサリ間での通信を開始するように制御する。
【００３５】
ＴＹＰＥ端子２０３ｃ、３０３ｃは、カメラ本体１０に装着されたカメラアクセサリ（例えば第１のレンズ１００）の種類を判別するための端子である。カメラ制御部１８は、ＴＹＰＥ端子２０３ｃ、３０３ｃが示す信号の電圧の値を検出し、その値に基づいて、カメラ本体１０に装着されたカメラアクセサリの種類を判別する。なお、第１のレンズ１００は、所定の抵抗値でＤＧＮＤ端子にプルダウン接続される。また、前述した抵抗値はカメラアクセサリの種類に応じて異なる。
【００３６】
次に、カメラ本体１０とカメラアクセサリとの間における各種通信用の端子について説明する。なお、マウント部１に設けられた複数の通信端子は、複数の通信系（グループ）に分かれており、各通信系は独立して通信を行うことが可能である。本実施形態では、ＬＣＬＫ端子２０３ｈ、３０３ｈ、ＤＣＬ端子２０３ｆ、３０３ｆ、ＤＬＣ端子２０３ｇ、３０３ｇは、第１の通信を行う第１通信系とする。また、ＤＬＣ２端子２０３ｉ、３０３ｉは、第１の通信系とは独立した第２の通信を行う第２通信系とする。さらに、ＣＳ端子２０３ｋ、３０３ｋ、ＤＣＡ端子２０３ｊ、３０３ｊは、第１、第２の通信系とは独立した第３の通信を行う第３通信系とする。本実施形態では、カメラ制御部１８とレンズ制御部１０３は、上述した複数の通信用端子を介して、それぞれ第１〜３のそれぞれ独立した通信を行うことができる。
【００３７】
ＬＣＬＫ端子２０３ｈ、３０３ｈは、第１通信系の端子であり、カメラ本体１０からカメラアクセサリ（例えば第１のレンズ１００）に出力される通信クロック信号用の端子、および、アクセサリのビジー状態をカメラ本体１０が監視するための端子である。
【００３８】
ＤＣＬ端子２０３ｆ、３０３ｆは、第１通信系の端子であり、カメラ本体１０とカメラアクセサリ（例えば第１のレンズ１００）との双方向の通信を行うための通信データ用の端子である。
【００３９】
ＤＬＣ端子２０３ｇ、３０３ｇは、第１通信系の端子であり、カメラアクセサリ（例えば第１のレンズ１００）からカメラ本体１０へと出力される通信データ用の端子である。
【００４０】
上述した第１通信系に対応するＬＣＬＫ端子、ＤＣＬ端子、ＤＬＣ端子は、信号の出力方式を所謂ＣＭＯＳ出力タイプとオープンタイプに切り替えることができる。なお、本実施形態におけるＣＭＯＳ出力タイプとしては、電圧が示すＨ（Ｈｉｇｈ）とＬ（Ｌｏｗ）の双方にスイッチ出力を有するものである。これに対して、オープンタイプとしては、Ｌ側のみにスイッチ出力を有するものである。なお、本実施形態におけるオープンタイプは所謂オープンドレインタイプを示すが、オープンコレクタタイプであってもよい。
【００４１】
ＤＬＣ２端子２０３ｉ、３０３ｉは、第２通信系の端子であり、カメラアクセサリ（例えば第１のレンズ１００）からカメラ本体１０へと出力される通信データ用の端子である。
【００４２】
ＤＣＡ端子２０３ｊ、３０３ｊは、第３通信系の端子であり、カメラ本体１０とカメラアクセサリ（例えば第１のレンズ１００）との双方向の通信を行うための通信データ用の端子である。
【００４３】
ＣＳ端子２０３ｋ、３０３ｋは、第３通信系の端子であり、カメラ本体１０とカメラアクセサリ（例えば、第１のレンズ１００）との通信要求用の信号端子である。なお、本実施形態において、カメラ本体１０に第１のレンズ１００が装着された場合に、第１〜第３通信系に対応する端子における通信電圧を３．０Ｖとする。
【００４４】
（カメラマウントおよびアクセサリマウントの構成）
以下、図２〜３を参照して、本実施形態に係るカメラマウント２０１とレンズマウント（アクセサリマウント）３０１の構成について説明する。なお、以降の説明では、撮像装置側に設けられたマウントをカメラマウント、レンズユニット側に設けられたマウントをレンズマウントと称する。さらに、後述する変換アダプタの各マウントについては、撮像装置に装着される側をレンズマウント、レンズユニットに装着される側をカメラマウントと称する。なお、後述する第２の変換アダプタ７０は、カメラ本体１０に設けられたカメラマウント２０１と同一のカメラマウント１２０１を備えている。また、後述する第１の変換アダプタ４０は、第１のレンズ１００に設けられたレンズマウント３０１と同一のレンズマウント１３０１を備えている。
【００４５】
図２は、本発明の実施形態に係るカメラ本体１０と第１のレンズ１００の外観斜視図である。図２（ａ）は、カメラ本体１０に第１のレンズ１００が装着されている状態を示し、図２（ｂ）は、カメラ本体１０から第１のレンズ１００が取り外された状態を示している。
【００４６】
図２に図示するように、カメラ本体１０と第１のレンズ１００は、それぞれ光軸に対して直交する方向に平行な当接面を備えたリング状のカメラマウント２０１とリング状のレンズマウント３０１を有する。カメラマウント２０１およびレンズマウント３０１としては、完全なリング状でなくてもよく、例えば、円弧形状であればよい。例えば、図２に図示するカメラマウント２０１のリング状の当接面の一部が切り欠かれていてもよい。なお、本実施形態では、カメラマウント２０１の中心軸およびレンズマウント３０１の中心軸は、それぞれ、カメラマント２０１またはレンズマウント３０１の光軸と一致する。なお、光軸とマウントの中心軸が異なる構成であってもよい。このカメラマウント２０１とレンズマウント３０１の基準面同士が互いに接触した状態で、非ロック位置からロック位置へとカメラ本体１０および第１のレンズ１００を相対的に回転させることで、カメラ本体１０に第１のレンズ１００が装着される。この詳細について後述する。
【００４７】
図３は、本発明の実施形態に係るカメラ本体１０と第１のレンズ１００の分解斜視図である。図３（ａ）はカメラ本体１０の分解斜視図を示し、図３（ｂ）は第１のレンズ１００の分解斜視図を示している。
【００４８】
図３（ａ）に図示するように、第１の光軸（第１の中心軸）３０００は、カメラ本体１０におけるカメラマウント２０１の中心を通過する光束を示す。また、図３（ｂ）に図示するように、第２の光軸３００１は、レンズ１００によって導かれる被写体の光学像を示す光束を例示的に説明する軸である。カメラ本体１０に第１のレンズ１００を装着した場合、上述した第１の光軸３０００と第２の光軸３００１は略一致し、これらの光軸に対応する光束が撮像センサ１１に入射・結像し、被写体像を撮像することができる。
【００４９】
図３（ａ）に図示するように、ロックピン２０２は、カメラ本体１０とカメラアクセサリとの装着状態を規制（ロック）するための第１の規制部材（ロック部材）である。なお、ロックピン２０２は、光軸３０００と平行な方向に向けて進退可能である。具体的に、第１のレンズ１００がカメラ本体１０に装着された際に、ロックピン２０２がレンズマウント３０１に設けられた第２の規制手段であるロック溝３０１ｚに入り込み、カメラ本体１０に第１のレンズ１００が装着された状態をロックする。なお、ロックピン２０２に接続されたロック解除部材（不図示）をユーザが操作することで、ロックピン２０２をロック溝３０１ｚから退避することで、カメラ本体１０に装着された第１のレンズ１００のロックを解除することができる。なお、ロック解除部材を操作した状態で、第１のレンズ１００とカメラ本体１０とを更に装着方向に向けて相対的に回転させた場合であっても、ロック当接面３０１ｙ以降への回転は規制される（図７（ａ）参照）。
【００５０】
接点保持部材２０３は、カメラ本体１０側に設けられた後述（図８を参照）の複数の接点ピン（電気通信接点群）２０３ａ〜２０３ｋ、２０３ｍを保持するための保持手段である。なお、本実施形態では、説明のために、前述した各端子に対応する接点ピンおよび接点面に、当該各端子と同一の部番を付している。
【００５１】
カメラ本体部材２０４は、カメラ本体１０の各部を保持するカメラ筐体である。具体的に、前述のカメラマウント２０１、接点保持部材２０３は、カメラマウント締結ビス２０５ａ〜２０５ｄおよび不図示の接点保持部材締結ビスにより、カメラ本体部材２０４に締結されている。上述したカメラマウント締結ビス２０５ａ〜２０５ｄは、カメラマウント２０１において、後述の板バネ２０６ａ、２０６ｂ、２０６ｃがない位置に配されている。また、カメラマウント締結ビス２０５ａ〜２０５ｄは、カメラマウント２０１のレンズマウント３０１との当接面で露出している。なお、カメラ本体部材２０４は、前述した撮像センサ１１を搭載した不図示の撮像ユニットや、不図示のシャッターユニットを保持しているが、説明を省略する。
【００５２】
レンズマウント付勢部材２０６は、後述するレンズマウント３０１に設けられた複数のバヨネット爪であるレンズ爪３０１ｄ〜３０１ｆをカメラマウント２０１側に引き込む撮像装置側の付勢手段である。具体的に、レンズマウント付勢部材２０６は、複数の板バネ２０６ａ、２０６ｂ、２０６ｃを備え、第１のレンズ１００に設けられたバヨネット爪が各板バネにより光軸方向に付勢される。なおレンズマウント付勢部材２０６は、カメラマウント２０１とカメラ本体部材２０４の間に形成された空間において両者に挟持されている。
【００５３】
次に、図３（ｂ）に図示するように、前玉レンズ１０１ａ、および後玉レンズ１０１ｂは撮影レンズ群１０１を構成する光学部材である。なお、撮影レンズ群１０１は複数のレンズを備えるが、本実施形態では説明を簡略化するために、被写体側の端に配置された前玉レンズ１０１ａとカメラ本体１０側の端に配置された後玉レンズ１０１ｂのみを図示する。
【００５４】
レンズ鏡筒３０２は、撮影レンズ群１０１を保持する保持部材である。なお、レンズマウント３０１は、レンズマウント締結ビス３０４ａ〜３０４ｄによりレンズ鏡筒３０２に締結されている。なお、レンズマウント３０１のカメラマウント２０１との当接面において、レンズマウント締結ビス３０４ａ〜３０４ｄが露出している。
【００５５】
接点面保持部材３０３は、後述（図９を参照）の第１のレンズ１００側に設けられた複数の接点面（電気接点群）３０３ａ〜３０３ｋ、３０３ｍを保持するための保持手段である。接点面保持部材３０３は、レンズマウント３０１にレンズ接点部保持部締結ビス３０５ａ、３０５ｂで締結されている。
【００５６】
（カメラ本体１０側のバヨネット爪の構成）
次に、図４〜６を参照して、カメラ本体１０側のカメラマウント２０１に設けられた複数のバヨネット爪について説明する。図４は、本発明の実施形態に係るカメラマウント２０１をカメラ本体１０の撮影者側（カメラ本体１０の背面側）から見た場合を例示的に説明する図である。図４（ａ）は、カメラマウント２０１の円周方向において、ロックピン２０２を基準としたカメラマウント爪（以下、単にカメラ爪と称す）およびカメラマウント凹部（以下、単にカメラ凹部と称す）が占める角度範囲を説明した図である。カメラマウント２０１における凹部は、マウントの周方向において、爪部と爪部との間に位置した切欠き部分である。したがって、マウントにおける凹部は、マウントの中心軸に対する径方向において、爪部よりも外側に凹んでいる。なお、レンズ側における凹部は、マウントの中心軸（光軸と平行）に対する径方向において、爪部よりも内側に凹んでいる。図４（ｂ）は、カメラマウント２０１の円周方向において、複数のカメラ爪２０１ａ〜２０１ｃが占める角度範囲を説明する図である。図４（ｃ）は図４（ｂ）に図示するＡ−Ａ´断面における断面図である。
【００５７】
なお、以降の説明では、カメラマウント側において内径方向に凹部から突出した凸部をカメラ爪と称し、後述するレンズマウント（アクセサリマウント）側においては、外径方向に凹部から突出した凸部をレンズマウント爪と称する。
【００５８】
また、以降の説明では、カメラマウント２０１をカメラ本体１０の撮影者（カメラ本体１０の背面）側から見た側を背面側と称し、その反対側を前面側（もしくはカメラアクセサリ側）と称する。以降の説明では、カメラマウント２０１を背面側から見た場合を基準として説明をするが、カメラマウント２０１を前面側から見る場合は、以降の説明における角度や角度を規定する向き（時計周りなど）の規定は逆転するということに注意されたい。
【００５９】
図４（ａ）、（ｂ）に図示するように、カメラマウント２０１には円周方向（内径方向）に向かって、第１のカメラ爪２０１ａ、第２のカメラ爪２０１ｂ、第３のカメラ爪２０１ｃが順に設けられている。なお、図４に図示するようにカメラマウント２０１を背面側から見た場合、ロックピン２０２から最も離れた位置に設けられたカメラ爪が第１のカメラ爪２０１ａである。そして、第１のカメラ爪２０１ａから時計回りに第２のカメラ爪２０１ｂ、第３のカメラ爪２０１ｃが順に連続的に設けられている。
【００６０】
また、カメラマウント２０１には円周方向（内径方向）における各凹部が、第１のカメラ凹部２０１ｄ、第２のカメラ凹部２０１ｅ、第３のカメラ凹部２０１ｆの順に連続的に設けられている。なお、図４に図示するようにカメラマウント２０１を背面側から見た場合、ロックピン２０２に最も近い位置に設けられた凹部が第２のカメラ凹部２０１ｅである。そして、第２のカメラ凹部２０１ｅから時計回りに第３のカメラ凹部２０１ｆ、第１のカメラ凹部２０１ｄが順に設けられている。
【００６１】
また、図４（ｃ）に図示するように、カメラマウント２０１側には、カメラアクセサリが装着された際に、当該カメラアクセサリの光軸と平行な方向への移動を規制する嵌合部２０１ｘがカメラマウント２０１の円周方向に設けられている。本実施形態では、カメラマウント２０１側において、嵌合部２０１ｘの光軸（カメラマウント２０１の中心軸と略同一）と直交する方向における径（すなわち嵌合部２０１ｘの内径）をマウント径とする。
【００６２】
カメラ本体１０への第１のレンズ１００の装着は、まず、カメラ本体１０の各カメラ爪が第１のレンズ１００の各レンズマウント凹部に挿入され、カメラ本体１０側の各カメラ凹部に第１のレンズ１００側の各レンズマウント爪が挿入される。この状態を装着開始状態（第１の状態）とする。なお、以降の説明では、アクセサリマウント凹部を単にアクセサリ凹部とし、アクセサリマウント爪を単にアクセサリ爪と称す。例えば、レンズマウント３０１であれば、レンズ凹部およびレンズ爪とする。
【００６３】
そして、装着開始状態からカメラマウント２０１とレンズマウント３０１とを相対回転することで、各カメラ爪と各レンズ爪とが光軸と直交する径方向で係合し、前述したレンズマウント付勢部材２０６により各レンズ爪が付勢された状態へと移行する。そして、この状態で、カメラ本体１０と第１のレンズ１００との相対的な位置関係は、前述したようにロックピン２０２がロック溝３０１ｚに嵌合したロック位置へと移行する。この状態を装着完了状態（第２の状態）とする。なお、装着完了状態におけるカメラマウント２０１とレンズマウント３０１とにおける対応する端子同士の接触が完了する。
【００６４】
以上説明したように、カメラ爪およびアクセサリ爪は所謂バヨネット爪であって、上述したように、カメラ爪とアクセサリ爪との係合による所謂バヨネット結合方式により、カメラ本体１０に対して第１のレンズ１００を装着可能（結合可能）な形状を備えている。
【００６５】
なお、説明のために、カメラ爪２０１ａ、２０１ｂ、２０１ｃの円周方向における端部のそれぞれを、第１の端部２０１ａ１、第２の端部２０１ａ２、第３の端部２０１ｂ１、第４の端部２０１ｂ２、第５の端部２０１ｃ１、第６の端部２０１ｃ２と称する。それぞれの端部には、前述したようにカメラマウント２０１を背面側から見た場合に、第１のカメラ爪２０１ａから時計周りで順に部番を付す。
【００６６】
図４（ａ）に図示するように、本実施形態では、各カメラ爪および各カメラ凹部の、カメラマウント２０１の円周方向に占める角度（角度範囲）を、以下のように規定する。第１のカメラ爪２０１ａの角度θａ＝４８°、第２のカメラ爪２０１ｂの角度θｂ＝４０°、第３のカメラ爪２０１ｃの角度θｃ＝９２°である。また、第１のカメラ凹部２０１ｄの角度は５７°、第２のカメラ凹部２０１ｅの角度は６６°、第３のカメラ凹部２０１ｆの角度は５７°である。ここで、爪（バヨネット爪）および凹部の角度範囲とは、各マウントにおいて各バヨネット爪およびバヨネット爪を挿入可能な凹部（切欠き部分）が占める角度範囲を示している。例えば、カメラマウント２０１がリング状であれば、カメラマウント２０１全体（３６０°）に対して第１のカメラ爪２０１ａが占める角度範囲が４０°となる。なお、マウントが完全なリング状ではない場合であっても、当該マウントをリング状（３６０°）とみなして、爪および凹部の角度範囲を規定すればよい。
【００６７】
また、カメラ本体１０の背面側からカメラ爪を見た場合に、カメラマウント２０１の円周方向において各カメラ爪が配されるロックピン２０２の位置（基準位置と称す）を基準とした時計回りの角度は以下のように規定する。第１のカメラ爪２０１ａは、基準位置を起点に１６９°から２１７°の間に配置される。第２のカメラ爪２０１ｂは、基準位置を起点に２７４°から３１４°の間に配置される。第３のカメラ爪２０１ｃは、基準位置を起点に２０°から１１２°の間に配置される。
【００６８】
ここで、本実施形態では、カメラマウント２０１を光軸方向から見た場合に、複数のバヨネット爪のうち、第３のカメラ爪２０１ｃは、当該光軸と平行なカメラマウント２０１の中心軸からカメラマウント２０１の垂直方向に延びる第１のカメラマウント中心線３００３がカメラマウント２０１の径方向で重畳する。なお、第１のカメラマウント中心線３００３は、カメラマウント２０１を前面側から見てロックピン２０２が左側に位置するカメラ本体１０の正位置において、カメラマウント２０１の中心（光軸）から重力方向および当該重力方向の反対に延びる線である。すなわち、第１のカメラマウント中心線３００３は、カメラ本体１０の正位置において、光軸を通る鉛直線である。換言すると、第１のカメラマウント中心線３００３は、カメラ本体１０を水平面においた際に、カメラマウント２０１の中心を通り、カメラマウント２０１の中心軸と直交する垂線である。
【００６９】
これに対して、カメラマウント２０１を前面側から見てロックピン２０２が上側に位置するカメラ本体１０の縦位置において、カメラマウント２０１の中心（光軸）から重力方向および当該重力方向の反対に延びる線を第２のカメラマウント中心線３００２とする。すなわち、第２のレンズマウント中心線３００２は、カメラ本体１０の正位置において、光軸を通る水平線である。
【００７０】
この第２のカメラマウント中心線３００２は、カメラマウント２０１の径方向においてロックピン２０２および第１のカメラ爪２０１ａと重畳する。なお、第１のカメラマウント中心線３００３と第２のレンズマウント中心線３００２は互いに略直交する。
【００７１】
図５は、本発明の実施形態に係るカメラ本体１０の正位置におけるカメラ本体１０と第１のレンズ１００のカメラ爪による係合を例示的に説明する図である。図５（ａ）は、カメラ本体１０に第１のレンズ１００が装着された状態を前面側から見た図である。図５（ｂ）は、図５（ａ）に示すＢ−Ｂ´断面に示すカメラ本体１０および第１のレンズ１００の部分断面図である。なお、図５において、カメラ本体１０は前述した正位置に位置し、この状態でカメラ本体部材２０４に設けられたカメラグリップ２０４ａが、カメラ本体１０を前面側から見て左側に位置する。
【００７２】
また、図６は、本発明の実施形態に係るカメラ本体１０の縦位置におけるカメラ本体１０と第１のレンズ１００のバヨネット爪による係合を例示的に説明する図である。図６（ａ）は、カメラ本体１０に第１のレンズ１００が装着された状態を前面側から見た図である。図６（ｂ）は、図６（ａ）に示すＣ−Ｃ´断面に示すカメラ本体１０および第１のレンズ１００の部分断面図である。なお、図６において、カメラ本体１０は前述した縦位置に位置し、この状態でカメラグリップ２０４ａが、カメラ本体１０を前面側から見て上側に位置する。
【００７３】
一般的に、カメラに交換レンズを装着した場合、両者の寸法公差により、光軸と直交する方向において、カメラと交換レンズとの間に隙間が生じ、当該隙間に起因してカメラに対するレンズのガタつきが大きくなる。特に、バヨネット結合によりカメラと交換レンズとを結合する場合、レンズの円周方向において、バヨネット爪同士が係合する箇所から離れた位置ほど上述したレンズのガタつきは大きくなる。また、交換レンズの自重により、カメラに対して交換レンズは、重力方向へのガタつき（たわみ）が大きくなる。したがって、カメラに対する交換レンズのガタつきが大きい場合に被写体を撮像すると、カメラの光軸とレンズの光軸のずれに起因して、ユーザが意図しない不自然な画像が取得されてしまう虞がある。
【００７４】
そこで、本実施形態では、図５（ｂ）に図示するように、カメラ側のバヨネット爪の中で最も広い角度を有する第３のカメラ爪２０１ｃが、カメラマウント２０１の径方向において第１のカメラマウント中心線３００３と重畳する。この構成により、カメラ本体１０に第１のレンズ１００を装着した際に、第１のカメラマウント中心線３００３が第３のカメラ爪２０１ｃと後述する第３のレンズ爪３０１ｆとが係合する位置と重畳する。この場合、例えば、撮像装置を操作する際に最も使用頻度が高い正位置において、カメラ本体１０に装着された第１のレンズ１００などのカメラアクセサリの重力方向へのガタつき（たわみ）を抑制することができる。上述した構成により、図５（ｂ）に示す隙間Δ１が大きくなることを低減できるため、図５（ｂ）に示す矢印方向への第１のレンズ１００のカメラ本体１０に対するガタつきを抑制することができる。
【００７５】
また、本実施形態では、図６（ｂ）に図示するように、第１のカメラ爪２０１ａが、カメラマウント２０１の径方向において第２のカメラマウント中心線３００２と重畳する。この構成により、カメラ本体１０に第１のレンズ１００を装着した際に、第２のカメラマウント中心線３００２が第１のカメラ爪２０１ａと後述する第１のレンズ爪３０１ｄとが係合する位置と重畳する。この場合、例えば、撮像装置の縦位置においても、カメラ本体１０に装着された第１のレンズ１００などのカメラアクセサリの重力方向へのガタつき（たわみ）を抑制することができる。上述した構成により、図６（ｂ）に示す隙間Δ２が大きくなることを低減できるため、図６（ｂ）に示す矢印方向への第１のレンズ１００のカメラ本体１０に対するガタつきを抑制することができる。
【００７６】
また、図４（ｂ）に図示するように、カメラマウント２０１の円周方向においてカメラ本体１０が正位置に位置する場合に上側に位置する第３のカメラ爪２０１ｃの角度は、下側に位置する第１の爪２０１ａと第２の爪２０１ｂの角度の和よりも大きい。より厳密にいうと、カメラマウント２０１に設けられた各カメラ爪の円周方向における角度の総和は、第２のカメラマウント中心線を基準として上側の方が下側よりも大きい。具体的に、角度θｃと第２のカメラマウント中心線３００２よりも上側の第１のカメラ爪２０１ａの角度θａ１の和は、角度θｂと第２のカメラマウント中心線３００２よりも下側の第１のカメラ爪２０１ａの角度θａ２の和よりも大きい。すなわち、
θｃ≧θａ＋θｂ・・・（１）
θａ１＋θｃ＞θａ２＋θｂ・・・（２）
という２つの式を満たすように、各カメラ爪および凹部の配置が決定されている。
【００７７】
この構成により、最も使用頻度が高いカメラ本体１０の正位置において、カメラマウント２０１の水平方向を示す第２のカメラマウント中心線３００２より上側（重力方向とは反対側）におけるカメラ爪の強度を下側（重力方向）よりも高くすることができる。したがって、本実施形態に係るカメラ本体１０は、第１のレンズ１００が装着された状態であって使用頻度が高いカメラ本体１０の正位置において、カメラ本体１０に対する第１のレンズ１００の重力方向へのガタつき（たわみ）を低減することができる。また、本実施形態に係るカメラ本体１０は、第１のレンズ１００が装着された状態であって使用頻度が高いカメラ本体１０の正位置における、第１のレンズ１００の自重により各カメラ爪およびレンズ爪の変形を抑制することもできる。
【００７８】
（第１のレンズ１００側のバヨネット爪の構成）
次に、図７を参照して、第１のレンズ１００側のレンズマウント３０１に設けられた複数のレンズ爪（アクセサリ爪）について説明する。図７は、本発明の実施形態に係るレンズマウント３０１を、カメラ本体１０に第１のレンズ１００が装着された状態で背面側（カメラ本体１０が取り付けられる側）から見た場合を例示的に説明する図である。図７（ａ）は、レンズマウント３０１側における各爪部と凹部の円周方向における角度を例示的に説明し、図７（ｂ）は、図７（ａ）に図示するＤ−Ｄ´断面図を示す。なお、以降の説明では、図７に図示する状態でカメラ本体１０が正位置に位置するものとする。
【００７９】
図７（ａ）に図示するように、レンズマウント３０１には円周方向（内径方向）に向かって、第１のレンズ爪３０１ｄ、第２のレンズ爪３０１ｅ、第３のレンズ爪３０１ｆが順に設けられている。なお、図７（ａ）に図示するようにレンズマウント３０１を背面側から見た場合、ロック溝３０１ｚから最も離れた位置に設けられたレンズ爪が第１のレンズ爪３０１ｄである。そして、第１のレンズ爪３０１ｄから時計回りに第２のレンズ爪３０１ｅ、第３のレンズ爪３０１ｆが順に連続的に設けられている。
【００８０】
また、レンズマウント３０１には円周方向（内径方向）における各凹部が、第１のレンズ凹部３０１ａ、第２のレンズ凹部３０１ｂ、第３のレンズ凹部３０１ｃの順に連続して設けられている。なお、図７に図示するようにレンズマウント３０１を背面側から見た場合、ロック溝３０１ｚに最も近い位置に設けられた凹部が第３のレンズ凹部３０１ｃである。そして、第３のレンズ凹部３０１ｃから時計回りに第１のレンズ凹部３０１ａ、第２のレンズ凹部３０１ｂが順に設けられている。
【００８１】
また、図７（ｂ）に図示するように、レンズマウント３０１側には、撮像装置に装着された際に、当該撮像装置の光軸と平行な方向への移動を規制する嵌合部３０１ｘがレンズマウント３０１の円周方向に設けられている。本実施形態では、レンズマウント３０１側において、嵌合部３０１ｘの光軸（レンズマウント３０１の中心軸と略同一）と直交する方向における径（すなわち嵌合部３０１ｘの内径）をマウント径とする。
【００８２】
なお、説明のために、レンズ爪３０１ｄ、３０１ｅ、３０１ｆの円周方向における端部のそれぞれを、第１の端部３０１ｄ１、第２の端部３０１ｄ２、第３の端部３０１ｅ１、第４の端部３０１ｅ２、第５の端部３０１ｆ１、第６の端部３０１ｆ２と称する。それぞれの端部には、前述したようにレンズマウント３０１を背面側から見た場合に、第１のレンズ爪３０１ｄから時計周りで順に部番を付す。
【００８３】
図７に図示するように、本実施形態では、各レンズ爪および各レンズ凹部の、レンズマウント３０１の円周方向に占める角度（角度範囲）を、以下のように規定する。第１のレンズ爪３０１ｄの角度θｄ＝５３°、第２のレンズ爪３０１ｅの角度θｅ＝６２°、第３のレンズ爪３０１ｆの角度θｆ＝５３°である。また、第１のレンズ凹部３０１ａの角度は５２°、第２のレンズ凹部３０１ｂの角度は４４°、第３のレンズ凹部３０１ｃの角度は９６°である。
【００８４】
また、背面側からレンズ爪を見た場合に、レンズマウント３０１の円周方向において各レンズ爪が配されるロック溝３０１ｚの位置（基準位置と称す）を基準とした時計回りの角度は以下のように規定する。第１のレンズ爪３０１ｄは、基準位置を起点に１５９°から２１２°の間に配置される。第２のレンズ爪３０１ｅは、基準位置を起点に２５６°から３１８°の間に配置される。第３のレンズ爪３０１ｆは、基準位置を起点に５４°から１０７°の間に配置される。
【００８５】
本実施形態では、レンズマウント３０１を光軸方向から見た場合に、複数のバヨネット爪のうち第２のレンズ爪３０１ｅが、レンズマウント３０１の垂直方向に延びる第１のレンズマウント中心線３００５とレンズマウント３０１の径方向で重畳する。また、本実施形態では、レンズマウント３０１を背面側および前面側から見た場合に、複数のバヨネット爪のうち第３のレンズ爪３０１ｆが、第１のレンズマウント中心線３００５とレンズマウント３０１の径方向で重畳する。
【００８６】
なお、第１のレンズマウント中心線３００５は、カメラ本体１０に第１のレンズ１００が装着された際の正位置において、レンズマウント３０１の中心（光軸）から重力方向および当該重力方向の反対に延びる線である。換言すると、第１のレンズマウント中心線３００５は、第１のレンズ１００が装着されたカメラ本体１０を水平面においた際に、レンズマウント３０１の中心を通り、レンズマウント３０１の中心軸と直交する垂線である。これに対して、カメラ本体１０に第１のレンズ１００が装着された際の縦位置において、レンズマウント３０１の中心（光軸）から重力方向および当該重力方向の反対に延びる線を第２のレンズマウント中心線３００６とする。この第２のレンズマウント中心線３００６は、レンズマウント３０１の径方向においてロック溝３０１ｚおよび第１のレンズ爪３０１ｄと重畳する。なお、第１のレンズマウント中心線３００５と第２のレンズマウント中心線３００６は互いに直交する。
【００８７】
本実施形態では、図７に図示するように、カメラ本体１０に第１のレンズ１００を装着した際に、第２のレンズ爪３０１ｅと第３のレンズ爪３０１ｆが、レンズマウント３０１の径方向において第１のレンズマウント中心線３００５と重畳する。この構成により、カメラ本体１０に第１のレンズ１００を装着した際に、第１のレンズマウント中心線３００５が、レンズ爪とカメラ爪との係合箇所のうちの２箇所と重畳する。この場合、例えば、撮像装置を操作する際に最も使用頻度が高い正位置において、カメラ本体１０に装着された第１のレンズ１００の重力方向へのガタつき（たわみ）を抑制することができる。
【００８８】
また、本実施形態では、図７に図示するように、カメラ本体１０に第１のレンズ１００を装着した際に、第１のレンズ爪３０１ｄが、レンズマウント３０１の径方向において第２のレンズマウント中心線３００６と重畳する。この構成により、カメラ本体１０に第１のレンズ１００を装着した際に、第２のレンズマウント中心線３００６が第１のレンズ爪３０１ｄと第１のカメラ爪２０１ａとが係合する位置と重畳する。この場合、例えば、撮像装置の縦位置においても、カメラ本体１０に装着された第１のレンズ１００の重力方向へのガタつき（たわみ）を抑制することができる。
【００８９】
また、上述したように、カメラ本体１０に第１のレンズ１００を装着した状態で、第２のカメラマウント中心線３００２と第２のレンズマウント中心線３００６はロックピン２０２およびロック溝３０１ｚとが嵌合するロック領域と重畳する。この構成により、カメラ本体１０の縦位置においては、第１のカメラ爪２０１ａと第１のレンズ爪３０１ｄとの係合箇所と前述したロック領域とが重力方向およびその反対方向に延びるマウント中心線と重畳する。この構成により、例えば、撮像装置の縦位置において、カメラ本体１０に装着された第１のレンズ１００の重力方向へのガタつき（たわみ）を更に効果的に抑制することができる。
【００９０】
（カメラ本体１０における接点ピンの構成）
以下、図８を参照して、カメラ本体１０側に設けられた各接点ピンの構成について説明する。図８は、本発明の実施形態に係るカメラマウント２０１を前面側（被写体）から見た外観図である。図８（ａ）は、カメラマウント２０１を光軸方向から見た外観図であって、図８（ｂ）は、カメラマウント２０１を上方から見た外観斜視図である。
【００９１】
図８（ａ）に図示するように、カメラマウント２０１の内側には、接点保持部材２０３および、接点保持部材２０３に保持された接点ピン２０３ａ〜２０３ｋ、２０３ｍがカメラマウント２０１の周方向に沿って配されている。図８（ａ）では、各接点ピンが配されている配列線を配列線３００７として図示している。
【００９２】
各接点ピン２０３ａ〜２０３ｋ、２０３ｍは、光軸３０００と平行な方向に進退（突出および引き込み）が可能な可動式のピンであり、後方から板バネ（不図示）により第１のレンズ１００側に付勢されている。前述したように、各接点ピン２０３ａ〜２０３ｋ、２０３ｍは、それぞれ前述した各端子の機能を備え、説明のために各接点ピンに付す部番号は前述した各端子と同一としている。
【００９３】
図８（ｂ）に図示するように、接点ピン２０３ａ〜２０３ｋ、２０３ｍのうち接点ピン２０３ａ、２０３ｂ、２０３ｃ、２０３ｄの光軸３０００と平行な方向の（前面への）高さは、他の接点ピンよりも高い。なお、本実施形態では、接点保持部材２０３の光軸方向への突出量を異ならせることで上述の構成を実現しているが、接点保持部材２０３からの各接点ピンの突出量を異ならせることで実現する構成を採用してもよい。
【００９４】
一般的に、バヨネット結合方式を採用してカメラに対して交換レンズの着脱を行う場合、カメラ側の接点ピンとレンズ側の接点面は互いに摺動する。例えば、カメラ側においては、交換レンズの装着を完了するための回転方向の端に位置する接点ピン以外は、レンズ側に設けられたいずれかの接点面と摺動する。したがって、カメラに対するカメラアクセサリの着脱回数が増えるほど接点ピンおよび接点面は摩耗してしまう。
【００９５】
この問題は、端子の数が増えるほど顕著であり、接点ピンと接点面の摺動回数は増加する。そして、接点ピンおよび接点面の摩耗により、端子の接触インピーダンスが上昇するため電圧降下が大きくなり、電気回路の動作許容電圧範囲を下回ることで、例えば交換レンズの誤動作が発生する虞がある。
【００９６】
そこで、本実施形態では、接点ピンの摺動回数を低減するために、光軸３０００と平行な方向において、上段および下段側でカメラ側の接点ピンと交換レンズ側の接点面との接触高さを異ならせている。具体的に、接点保持部材２０３は光軸３０００と平行な方向に段差を備えており、上段に接点ピン２０３ａ〜２０３ｄ、下段に接点ピン２０３ｅ〜２０３ｋ、２０３ｍを有する構成とする。また、接点面保持部材３０３は光軸３００１と平行な方向に段差を備えており、下段に接点面３０３ａ〜３０３ｄ、上段に接点面３０３ｅ〜３０３ｋ、３０３ｍを有する構成とする。
【００９７】
なお、カメラマウント２０１側における接点保持部材２０３の上段は、カメラ本体１０に第１のレンズ１００が装着された際のカメラ本体１０の前面側（被写体側）すなわちレンズマウント３０１が結合される側に突出した段である。また、接点保持部材２０３の下段は、カメラ本体１０の背面側（撮像センサ１１側）に窪んだ段である。また、レンズマウント３０１側における接点面保持部材３０３の上段は、カメラ本体１０に第１のレンズ１００が装着された際のカメラ本体１０の背面側（撮像センサ１１側）すなわちカメラマウント２０１が結合される側に突出した段である。また、接点面保持部材３０３の下段は、カメラ本体１０の前面側（被写体側）に窪んだ段である。
【００９８】
カメラマウント２０１にレンズマウント３０１が装着された場合、接点保持部材２０３の上段側に設けられた各接点ピンと、接点面保持部材３０３の下段側に設けられた各接点面との対応する端子同士が電気的に接続される。また、カメラマウント２０１にレンズマウント３０１が装着された場合、接点保持部材２０３の下段側に設けられた各接点ピンと、接点面保持部材３０３の上段側に設けられた各接点面との対応する端子同士が電気的に接続される。したがって、カメラマウント２０１側とレンズマウント３０１側の各端子保持部の段差は、互いに係合可能な形状をしており、カメラマウント面Ａにレンズマウント３０１を装着する際に、異なる段に設けられたカメラ側の接点ピンとレンズ側の接点面は接触しない。
【００９９】
この構成により、カメラ本体１０に対して第１のレンズ１００を装着開始状態から装着完了状態まで相対的に回転する際に、接点ピン２０３ｅ〜２０３ｋ、２０３ｍが、接点面３０３ａ〜３０３ｄと接触することはない。また、カメラ本体１０に対して第１のレンズ１００を装着完了状態から装着開始状態まで相対的に回転する際も、接点ピン２０３ｅ〜２０３ｋ、２０３ｍが、接点面３０３ａ〜３０３ｄと接触することはない。すなわち、上述した構成により、カメラマウント２０１側およびレンズマウント３０１側の双方における接点ピンと接点面との摺動回数を低減することができる。
【０１００】
なお、カメラ本体１０側の各接点ピンと第１のレンズ１００側の各接点面とは、カメラ本体１０に対する第１のレンズ１００の装着開始状態では、何れも非接触状態となるため、第１のレンズ１００の装着完了前における、端子間でのショートを防止できる。
【０１０１】
（第１のレンズ１００における接点面の構成）
以下、図９を参照して、第１のレンズ１００側に設けられた各接点面の構成について説明する。図９は、本発明の実施形態に係るレンズマウント３０１を、カメラマウント２０１が装着される側（背面側）から見た外観図である。図９（ａ）は、レンズマウント３０１を光軸方向から見た外観図であって、図９（ｂ）は、レンズマウント３０１を上方から見た外観斜視図である。
【０１０２】
図９（ａ）に図示するように、レンズマウント３０１の内側には、接点面保持部材３０３および、接点面保持部材３０３に保持された接点面３０３ａ〜３０３ｋ、３０３ｍがレンズマウント３０１の周方向に沿って配されている。図９（ａ）では、各接点面が配されている配列線を配列線３００８として図示している。前述したように、各接点面３０３ａ〜３０３ｋ、３０３ｍは、それぞれ前述した各端子の機能を備え、説明のために各接点面に付す部番号は前述した各端子と同一としている。
【０１０３】
図９（ｂ）に図示するように、接点面３０３ａ〜３０３ｋ、３０３ｍのうち、接点面３０３ａ、３０３ｂ、３０３ｃ、３０３ｄの光軸３００１と平行な方向の高さは、他のピンよりも低い。なお、本実施形態では、接点面保持部材３０３の光軸方向への突出量を異ならせることで上述の構成を実現している。
【０１０４】
以上説明した構成により、カメラ本体１０に対して第１のレンズ１００を装着開始状態から装着完了状態まで相対的に回転する際に、接点面３０３ａ〜３０３ｄが、接点ピン２０３ｅ〜２０３ｋ、２０３ｍと接触することはない。また、カメラ本体１０に対して第１のレンズ１００を装着完了状態から装着開始状態まで相対的に回転する際も、接点面３０３ａ〜３０３ｄが、接点ピン２０３ｅ〜２０３ｋ、２０３ｍと接触することはない。すなわち、上述した構成により、カメラマウント２０１側およびレンズマウント３０１側の双方における接点ピンと接点面との摺動回数を低減することができる。
【０１０５】
また、図９（ｂ）に図示するように、接点面保持部材３０３には、第１のレンズ１００をカメラ本体１０に装着する際に、対応する接点ピンを背面方向（撮像センサ１１側）に引き込むための第１の誘い込み斜面３０３ｎおよび第２の誘い込み斜面３０３ｐを備える。この構成により、カメラ本体１０側に設けられた各接点ピンの接点面保持部材３０３との接触圧が段階的に緩やかに変化するため、カメラ本体１０側に設けられた各接点ピンの変形や摩耗を低減することができる。
【０１０６】
（カメラ本体１０への第１のレンズ１００の取り付け動作）
次に、図１０を参照して、カメラ本体１０に第１のレンズ１００を装着する際の取り付け動作について説明する。
【０１０７】
図１０は、本発明の実施形態に係るカメラ本体１０と第１のレンズ１００における各端子同士の接触状態を例示的に説明する図である。図１０（ａ）は、第１のレンズ１００のカメラ本体１０への装着を開始した装着開始状態における各端子同士の接触状態を説明する図である。また、図１０（ｂ）は、第１のレンズ１００のカメラ本体１０への装着が完了した装着完了状態における各端子同士の接触状態を説明する図である。なお、図１０（ａ）に図示する状態では、光軸方向においてカメラマウント２０１側の接点ピン２０３ｍ、２０３ｋがレンズマウント面Ｂ側の接点面３０３ａ、３０３ｂと重畳している。しかしながら、前述したように、接点保持部材２０３および接点面保持部材３０３の光軸と平行な方向への高さを領域ごとに異ならせているため、図１０（ａ）に図示する状態では、何れの接点ピンおよび接点面も接触しない。
【０１０８】
図１０（ａ）に図示する状態から、矢印で示す方向（図１０（ａ）を参照）に向けて、第１のレンズ１００をカメラ本体１０に対して略６０°回転させた状態が図１０（ｂ）に図示する状態である。すなわち、本実施形態では、カメラ本体１０と第１のレンズ１００とは、装着開始状態から装着完了状態への相対的な回転角度は略６０°である。なお、図１０（ｂ）に図示する状態では、ロックピン２０２がロック溝３０１ｚに嵌合した（ロックされた）状態である。
【０１０９】
第１のレンズ１００をカメラ本体１０に対して略６０°回転させることで、第１のレンズ爪３０１ｄが第１のカメラ爪２０１ａの背面側（撮像センサ１１側）に引き込まれ、光軸方向において互いに係合する。また、この状態、第２のレンズ爪３０１ｅが第２のカメラ爪２０１ｂの背面側（撮像センサ１１側）に引き込まれ、光軸方向において互いに係合する。また、この状態、第３のレンズ爪３０１ｆが第３のカメラ爪２０１ｃの背面側（撮像センサ１１側）に引き込まれ、光軸方向において互いに係合する。さらに、第１のレンズ１００に設けられた各レンズ爪は、カメラマウント２０１側に設けられたレンズマウント付勢部材２０６により、背面側に付勢されることでその位置が決定され、カメラ本体１０と第１のレンズ１００とが結合される。
【０１１０】
また、第１の誘い込み面３０３ｎおよび第２の誘い込み面３０３ｐにより、カメラ本体１０側の各接点ピンが背面側（撮像センサ１１側）に押圧される。そして、カメラ本体１０側の各接点ピンは、押圧された状態でレンズマウント３０１側の接点面３０３ａ〜３０３ｋ、３０３ｍの対応する箇所に接触しながら、装着完了状態においてそれぞれが対応する接点面と接触する。なお、この際、初めに接触を開始するのは、カメラマウント２０１側に設けられた接点ピン２０３ｍとレンズマウント３０１側に設けられたレンズ接点面３０３ｅである。
【０１１１】
（変換アダプタの基本構成）
次に、図１１〜１２を参照して、前述したカメラ本体１０のカメラマウント２０１に装着可能なカメラアクセサリである変換アダプタ（アダプタ装置）の基本構成について説明する。
【０１１２】
図１１は、カメラ本体１０に装着可能な第１の変換アダプタ４０および第２のレンズユニット５０を説明する図である。図１１（ａ）は、カメラ本体１０に第１の変換アダプタ４０を介して第２のレンズユニット５０が装着された状態の外観斜視図を示す。図１１（ｂ）はカメラ本体１０、第１の変換アダプタ４０、第２のレンズユニット５０をそれぞれ取り外した状態の外観斜視図を示す。なお、カメラ本体１０に対して第２のレンズユニット（以下、第２のレンズと称す）５０は、フランジバックが短いがカメラマウント２０１と同一のマウント径を有するレンズマウント５０１を備えている。すなわち、第２のレンズ５０は、前述した第１のレンズ１００と同一のマウント径であるが、第１のレンズ１００とは異なり、カメラ本体１０への直接装着に対応していないカメラアクセサリである。  
【０１１３】
図１２は、カメラ本体６０に装着可能な第２の変換アダプタ７０および第１のレンズ１００を説明する図である。図１２（ａ）はカメラ本体６０に第２の変換アダプタ７０を介して第１のレンズ１００が装着された状態の外観斜視図を示し、図１２（ｂ）はカメラ本体６０、第２の変換アダプタ７０、第１のレンズ１００をそれぞれ取り外した状態の外観斜視図を示す。
【０１１４】
ここで、フランジバックが短い撮像装置にフランジバックが長いレンズユニットが直接装着されると、正確な位置に焦点が結ばれないなどの不具合が生じ、その際に被写体を撮像することで不自然な画像が取得されてしまう。例えば、前述したカメラ本体１０にフランジバックが長い第２のレンズ５０が装着された場合に上述の問題が生じる。
【０１１５】
同様に、フランジバックの長い撮像装置にフランジバックの短いレンズユニットが直接装着された場合も、正確な位置に焦点が結ばれないなどの不具合が生じ、その際に被写体を撮像することで不自然な画像が取得されてしまう。例えば、前述したカメラ本体１０よりもフランジバックが長い第２の撮像装置としてカメラ本体６０に、フランジバックが短い第１のレンズ１００が装着された場合に上述の問題が生じる。
【０１１６】
特に、カメラ本体１０およびカメラ本体６０と、第１のレンズ１００および第２のレンズ５０は同一のマウント径を有するため、どの撮像装置とレンズユニットとが直接装着に対応したフランジバックを有するかを両者の外観からユーザが判断するのは困難である。
【０１１７】
したがって、互いに対応しないフランジバックを有する撮像装置とレンズユニットとが誤って直接装着されないように、所定の撮像装置には対応するレンズユニットのみが直接接続可能であるのが好ましい。
【０１１８】
また、対応しないレンズユニットを撮像装置に装着する場合、フランジバックを調整するには、両者の間に変換アダプタを介する必要がある。しかしながら、変換アダプタの一方の側に撮像装置に装着された状態で、当該変換アダプタの他方の側に当該撮像装置への直接接続に対応したレンズユニットが誤って装着されてしまうと、前述したように正確に焦点が結ばれない虞がある。したがって、変換アダプタの一方の側と他方の側ではそれぞれ装着可能な撮像装置およびカメラアクセサリを制限する構成を備えることが望ましい。
【０１１９】
具体的に、フランジバックが短い撮像装置にフランジバックが長いレンズユニットを装着する場合、一方の端側が当該撮像装置のみに装着可能であって、他方の端側が当該レンズユニットのみに装着可能な変換アダプタが好ましい。また、フランジバックが長い撮像装置にフランジバックが短いレンズユニットを装着する場合、一方の端側が当該撮像装置のみに装着可能であって、他方の端側が当該レンズユニットのみに装着可能な変換アダプタが望ましい。
【０１２０】
第１の変換アダプタ４０には、光軸方向における一方の端側に、レンズマウント１３０１がアダプタ鏡筒４０ａに対して締結ビス（不図示）で取り付けられている。このレンズマウント１３０１は、前述したカメラ本体１０に設けられたカメラマウント２０１に着脱できるアクセサリマウントである。
【０１２１】
また、第１の変換アダプタ４０の光軸方向における他方の端側には、カメラマウント１４０１がアダプタ鏡筒４０ａに対して締結ビス（不図示）によって取り付けられている。このカメラマウント１４０１は、第２のレンズ５０のレンズマウント５０１に着脱できるカメラマウントである。なお、第１の変換アダプタ４０のカメラマウント１４０１は、第２のレンズ５０におけるフランジバックに対応した位置にカメラ本体１０の撮像センサ１１の撮像面が位置するように取り付けられている。
【０１２２】
第２の変換アダプタ７０には、光軸方向における一方の端側に、レンズマウント１５０１がアダプタ鏡筒７０ａに対して締結ビス（不図示）によって取り付けられている。このレンズマウント１５０１は、カメラ本体６０に設けられたカメラマウント４０１に着脱できるアクセサリマウントである。
【０１２３】
また、第２の変換アダプタ７０には、光軸方向における他方の端側に、カメラマウント１２０１がアダプタ鏡筒７０ａに対して締結ビス（不図示）によって取り付けられている。このカメラマウント１２０１は、前述したように、第１のレンズ１００のレンズマウント３０１を着脱できるカメラマウントである。以上説明したように、同一のマウントを備える部材としては、カメラ本体１０のカメラマウント２０１と第２の変換アダプタ７０のカメラマウント１２０１、第１のレンズ１００のレンズマウント３０１と第１の変換アダプタ４０のレンズマウント１３０１、カメラ本体６０のカメラマウント４０１と第１の変換アダプタのカメラマウント１４０１、第２のレンズ５０のレンズマウント５０１と第２の変換アダプタ７０のレンズマウント１５０１である。したがって、以降の説明では、同一のマウントのそれぞれは同一の構成を有しているものとして、重複する説明を省略する。
【０１２４】
なお、第２の変換アダプタ７０には、光軸方向におけるアダプタ鏡筒７０ａとレンズマウント１５０１の間に、第１の光学部材７０１ａ、第２の光学部材７０１ｂが設けられている。この第１の光学部材７０１ａ、第２の光学部材７０１ｂにより、第２の変換アダプタ７０は、カメラ本体６０に配された撮像センサの撮像面に合わせて第１のレンズ１００のフランジバックの長さを延長することができる。なお、光学部材は便宜上２つのレンズとしたが、これに限定されるものではない。
【０１２５】
（第１の変換アダプタ４０の構成）
次に、図１３〜図１７を参照して、第１の変換アダプタ４０のカメラマウントおよびレンズマウントの円周方向における、バヨネット爪が配設されている角度（位相）について説明する。なお、以降に説明するレンズマウント１３０１の説明は、レンズマウント３０１についての説明と同義である。また、以降に説明するカメラマウント１４０１の説明は、カメラマウント４０１についての説明と同義である。
【０１２６】
図１３は、第１の変換アダプタ４０の一方の端に設けられたカメラマウント１４０１におけるバヨネット爪の設置角度を例示的に説明する図である。図１３（ａ）は、背面側（カメラ本体１０側）から見た、カメラマウント１４０１の円周方向において、ロックピン１４０１ｚを基準としたカメラ爪およびカメラ凹部が占める角度範囲を説明した図である。図１３（ｂ）は、背面側（カメラ本体１０側）から見た、カメラマウント１４０１の円周方向において、複数のカメラ爪１４０１ａ〜１４０１ｃが占める角度範囲を説明する図である。図１３（ｃ）は、図１３（ｂ）に図示するＥ−Ｅ´断面の断面図を示す。
【０１２７】
第１の変換アダプタ４０は、フランジバックが短いカメラ本体１０にフランジバックが長い第２のレンズ５０を装着するのに用いるマウントアダプタである。したがって、第１の変換アダプタ４０としては、レンズマウント１３０１にフランジバックが長いカメラ本体６０に直接装着できず、カメラマウント１４０１にフランジバックが短い第１のレンズ１００が直接装着できないような構成が望ましい。該構成により、第１の変換アダプタ４０における一方の端（第１の端）側に設けられたレンズマウント１３０１と、他方の端（第２の端）側に設けられたカメラマウント１４０１とがそれぞれ直接装着できないような爪および凹部の位置関係を満たすことができる。
【０１２８】
カメラマウント１４０１には円周方向（内径方向）に向かって、第１のカメラ爪１４０１ａ、第２のカメラ爪１４０１ｂ、第３のカメラ爪１４０１ｃが順に設けられている。なお、図１３（ａ）に図示するようにカメラマウント１４０１を背面側から見た場合、ロックピン１４０１ｚから最も離れた位置に設けられたカメラ爪が第１のカメラ爪１４０１ａである。そして、第１のカメラ爪１４０１ａから時計回りに第２のカメラ爪１４０１ｂ、第３のカメラ爪１４０１ｃが順に設けられている。
【０１２９】
また、カメラマウント１４０１には円周方向（内径方向）に向かって、第１のカメラ凹部１４０１ｄ、第２のカメラ凹部１４０１ｅ、第３のカメラ凹部１４０１ｆが順に設けられている。なお、図１３（ａ）に図示するようにカメラマウント１４０１を背面側から見た場合、ロックピン１４０１ｚに最も近い位置に設けられた凹部が第２のカメラ凹部１４０１ｅである。そして、第２のカメラ凹部４０１ｅから時計回りに第３のカメラ凹部１４０１ｆ、第１のカメラ凹部１４０１ｄが順に設けられている。
【０１３０】
また、図１３（ｃ）に図示するように、カメラマウント４０１側には、カメラアクセサリが装着された際に、当該カメラアクセサリの光軸と平行な方向への移動を規制する嵌合部４０１ｘがカメラマウント４０１の円周方向に設けられている。本実施形態では、カメラマウント４０１側において、嵌合部４０１ｘの光軸（カメラマウント４０１の中心軸と略同一）と直交する方向における径（すなわち嵌合部４０１ｘの内径）をマウント径とする。
【０１３１】
なお、第１の変換アダプタ４０と第２のレンズ５０とのバヨネット結合の仕方は、前述したカメラ本体１０と第１のレンズ１００とのバヨネット結合の仕方と略同一なので説明は省略する。
【０１３２】
また、説明のために、カメラ爪１４０１ａ、１４０１ｂ、１４０１ｃの円周方向における端部のそれぞれを、第１の端部１４０１ａ１、第２の端部１４０１ａ２、第３の端部１４０１ｂ１、第４の端部１４０１ｂ２、第５の端部１４０１ｃ１、第６の端部１４０１ｃ２と称する。それぞれの端部には、前述したようにカメラマウント１４０１を背面側から見た場合に、第１のカメラ爪１４０１ａから時計周りで順に部番を付す。
【０１３３】
図１３（ａ）に図示するように、本実施形態における第１の変換アダプタ４０において、各カメラ爪および各カメラ凹部の、カメラマウント１４０１の円周方向に占める角度（角度範囲）を、以下のように規定する。第１のカメラ爪１４０１ａの角度θ１＝５６°、第２のカメラ爪１４０１ｂの角度θ２＝６２°、第３のカメラ爪１４０１ｃの角度θ３＝６２°である。また、第１のカメラ凹部１４０１ｄの角度は５７°、第２のカメラ凹部１４０１ｅの角度は６６°、第３のカメラ凹部１４０１ｆの角度は５７°である。すなわち、カメラマウント１４０１は、前述したカメラ本体１０のカメラマウント２０１に対して、各カメラ爪の角度は異なるが、各カメラ凹部の角度は同一である。
【０１３４】
また、変換アダプタ４０を背面側からカメラ爪を見た場合、カメラマウント１４０１の円周方向において各カメラ爪が配されるロックピン１４０１ｚの位置（基準位置と称す）を基準とした時計回りの角度は以下のように規定する。第１のカメラ爪１４０１ａは、基準位置を起点に１５９°から２１５°の間に配置される。第２のカメラ爪１４０１ｂは、基準位置を起点に２７２°から３３４°の間に配置される。第３のカメラ爪１４０１ｃは、基準位置を起点に４０°から１０２°の間に配置される。
【０１３５】
次に、図１４は、第１の変換アダプタ４０の他方の端に設けられたレンズマウント１３０１におけるバヨネット爪の設置角度を例示的に説明する図である。図１４（ａ）は、背面側から見た、レンズマウント１３０１の円周方向において、ロックピン１３０１ｚを基準としたレンズ爪およびレンズ凹部が占める角度範囲を説明した図である。図１４（ｂ）は、背面側から見た、レンズマウント１３０１の円周方向において、複数のレンズ凹部１３０１ａ〜１３０１ｃが占める角度範囲を説明する図である。
【０１３６】
図１４（ｂ）に図示するように、各レンズ凹部の、レンズマウント１３０１の円周方向に占める角度（角度範囲）は、第１のレンズ凹部１３０１ａの角度をθ４、第２のレンズ凹部１３０１ｂの角度をθ５とする。なお、第１の変換アダプタ４０のレンズマウント１３０１における各爪および凹部の設置角度は、前述した第１のレンズ１００のレンズマウント３０１と同様なので説明は省略する。
【０１３７】
第１の変換アダプタ４０に設けられたレンズマウント１３０１とカメラマウント１４０１との各爪と凹部の円周方向における角度を比較する。例えば、レンズマウント１３０１側において、最小の角度を有する第２のレンズ凹部１３０１ｂの角度θ５は４４°であり、これに対して、カメラマウント１４０１側において、最小の角度を有する第１のカメラ爪１４０１ａの角度θ１は５６°である。すなわち、レンズマウント１３０１側における最も小さい角度を有する凹部よりもカメラマウント１４０１側における最も小さい角度を有する爪の方が大きい（θ５＜θ１）。この場合、レンズマウント１３０１側の凹部とカメラマウント１４０１側の爪のうち、少なくとも１つ以上のレンズ凹部とカメラ爪同士は互いに干渉する。したがって、カメラマウント１４０１側とレンズマウント１３０１側の光軸同士が略平行となるようにカメラ本体にレンズユニットを装着しようとしても、爪と凹部とが干渉するため、カメラ本体に対してレンズユニットを装着することはできない。
【０１３８】
しかしながら、１つの爪と凹部とが互いに干渉しているだけでは、レンズマウント側の各凹部にカメラマウント側の各爪を挿入可能となる場合がある。図１５は、互いに干渉する爪と凹部とを有する所定の撮像装置１０００と所定のレンズユニット２０００との装着方法を例示的に説明する図である。図１５（ａ）は、互いに干渉する爪と凹部とを有する所定の撮像装置に所定のレンズユニットを装着する途中の正面図を例示的に説明する図である。図１５（ｂ）は、図１５（ａ）に図示するＦ−Ｆ´断面の断面図である。
【０１３９】
例えば、図１５（ａ）、（ｂ）に図示するように、カメラマウント側の光軸に対してレンズマウント側の光軸を斜めに傾けた状態で、カメラ爪の一端をレンズ凹部に挿入し、その状態からレンズマウントとカメラマウントとを相対的に回転させる。この場合、本来は互いに干渉するカメラ爪とレンズ凹部であっても、レンズマウントとカメラマウントとの相対回転途中で互いの干渉が解消されて、当該レンズ凹部にカメラ爪が挿入された状態へと遷移可能である。この場合、他のカメラ爪とレンズ凹部とが干渉していなければ、カメラ本体に対してレンズユニットを装着可能である。
【０１４０】
そこで、本実施形態では、基準となるレンズ爪に隣り合う所定のレンズ凹部の角度が、基準となるカメラ凹部に隣り合う２つのカメラ爪の角度よりも小さくなるように、レンズマウント１３０１側とカメラマウント１４０１側における各爪と凹部を配する。
【０１４１】
具体的に本実施形態では、第１のレンズ爪１３０１ｄに隣り合う第１のレンズ凹部１３０１ａと第２のレンズ凹部１３０１ｂの角度θ４、θ５が、第１のカメラ凹部１４０１ｄに隣り合う第１のカメラ爪１４０１ａと第２の爪１４０１ｂの角度θ１、θ２よりも小さい。すなわち、θ４（５２°）がθ１（５６°）より小さく、θ５（４４°）がθ２（６２°）よりも小さい（θ４＜θ１、θ５＜θ２）。
【０１４２】
したがって、図１６に図示するように、第１のレンズ爪１３０１ｄ（３０１ｄ）を第１のカメラ凹部の４０１ｄ（１４０１ｄ）に挿入させようとしても、第２のレンズ爪１３０１ｅ（３０１ｅ）が第２のカメラ爪４０１ｂ（１４０１ｂ）と、第３のレンズ爪１３０１ｆ（３０１ｆ）が第１のカメラ爪４０１ａ（１４０１ａ）とが確実に干渉する。
【０１４３】
図１６は、本発明の実施形態に係るカメラマウント１４０１（４０１）側に対してレンズマウント３０１（１３０１）側を装着しようとした際の、爪同士の干渉する様子を例示的に説明した図である。図１６（ａ）は、第３のレンズ爪１３０１ｆ（３０１ｆ）と第１のカメラ爪４０１ａ（１４０１ａ）とが干渉する様子を示し、図１６（ｂ）は、第２のレンズ爪１３０１ｅ（３０１ｅ）と第２のカメラ爪４０１ｂ（１４０１ｂ）とが干渉する様子を示している。
【０１４４】
以上説明したように、本実施形態では、対応しないレンズユニットと撮像装置の各マウント部における各爪のうち、互いの２つの爪同士が干渉するように、対応しないレンズユニットと撮像装置、および変換アダプタの各マウント部を構成する。この構成により、対応しないレンズユニットが撮像装置に誤装着される、あるいは、変換アダプタの両端に設けられた各マウント部に対応しないレンズユニットおよび撮像装置が誤装着されるリスクを低減することができる。
【０１４５】
しかしながら、上記の条件を満たす場合であっても、例えば、３つの爪を対応しない凹部に挿入しようとした場合に、各爪および凹部の角度によっては、２つの爪が凹部に挿入されてしまう場合がある。
【０１４６】
そこで本実施形態では、さらに、少なくとも２つの隣り合うレンズ凹部の角度が、全てのカメラ爪の角度よりも小さい構成とする。具体的に、本実施形態では、第１のレンズ凹部１３０１ａと第２のレンズ凹部１３０１ｂの円周方向における角度θ４、θ５が、第１〜第３のカメラ爪部１４０１ａ〜１４０１ｃの円周方向における角度θ１〜θ３よりも小さい。すなわち、本実施形態におけるレンズマウント１３０１側とカメラマウント１４０１側の各爪および各凹部の関係は、θ４＜θ１、θ４＜θ２、θ４＜θ３、θ５＜θ１、θ５＜θ２、θ５＜θ３を満たす。
【０１４７】
図１７は、本発明の実施形態に係るレンズマウント１３０１側およびカメラマウント１４０１側において、対応しない爪を凹部に挿入しようとする場合を例示的に説明する図である。図１７（ａ）は第１のレンズ爪１３０１ｄ（３０１ｄ）を第３のカメラ凹部４０１ｆ（１４０１ｆ）に挿入しようとする場合の、第３のレンズ爪１３０１ｆ（３０１ｆ）と第３のカメラ爪４０１ｃ（１４０１ｃ）とが干渉する様子を示している。また、図１７（ｂ）は第１のレンズ爪１３０１ｄ（３０１ｄ）を第３のカメラ凹部４０１ｆ（１４０１ｆ）に挿入しようとする場合の、第２のレンズ爪１３０１ｅ（３０１ｅ）と第１のカメラ爪４０１ａ（１４０１ａ）とが干渉する様子を示している。また、図１７（ｃ）は第１のレンズ爪１３０１ｄ（３０１ｄ）を第２のカメラ凹部４０１ｅ（１４０１ｅ）に挿入しようとする場合の、第３のレンズ爪１３０１ｆ（３０１ｆ）と第２のカメラ爪４０１ｂ（４０１ｂ）とが干渉する様子を示している。また、図１７（ｄ）は第１のレンズ爪１３０１ｄ（３０１ｄ）を第２のカメラ凹部４０１ｅ（１４０１ｅ）に挿入しようとする場合の、第２のレンズ爪１３０１ｅ（３０１ｅ）と第３のカメラ爪４０１ｃ（１４０１ｃ）とが干渉する様子を示している。
【０１４８】
図１７（ａ）〜（ｄ）に図示するように、本実施形態では、レンズマウント１３０１とカメラマウント１４０１の相対的な回転角度に依らずに、少なくとも２箇所のレンズ爪とカメラ爪同士が干渉する。この構成により、レンズマウント３０１およびレンズマウント１３０１を備えたレンズユニットおよび変換アダプタが、カメラマウント４０１およびカメラマウント１４０１を備えた撮像装置および変換アダプタに誤装着されることをより効果的に防止することができる。
【０１４９】
（第２の変換アダプタ７０の構成）
次に、図１８〜２１を参照して、第２の変換アダプタ７０のカメラマウントおよびレンズマウントの円周方向における、バヨネット爪が配設されている角度（位相）について説明する。なお、以降に説明するカメラマウント１２０１の説明は、カメラマウント２０１についての説明と同義である。また、以降に説明するレンズマウント１５０１の説明は、レンズマウント５０１についての説明と同義である。
【０１５０】
第２の変換アダプタ７０は、フランジバックが長いカメラ本体６０にフランジバックが短い第１のレンズ１００を装着するのに用いるマウントアダプタである。第２の変換アダプタ７０の一方の端（第３の端）側にはレンズマウント１５０１が設けられ、他方の端（第４の端）側にはカメラマウント１２０１が設けられている。なお、第２の変換アダプタ７０のカメラマウント１２０１は、前述した第１の撮像装置であるカメラ本体１０のカメラマウント２０１と同一の構成を備える。また、第２の変換アダプタ７０のレンズマウント１５０１は、前述した第２のレンズ５０のレンズマウント５０１と同一の構成を備える。
【０１５１】
したがって、第２の変換アダプタ７０としては、レンズマウント１５０１にフランジバックが短いカメラ本体１０に直接装着できず、カメラマウント１２０１にフランジバックが長い第２のレンズ５０が直接装着できないような構成が望ましい。該構成は、第２の変換アダプタ７０における一方の端（第３の端）側に設けられたレンズマウント１５０１と、他方の端（第４の端）側に設けられたカメラマウント１２０１とがそれぞれ直接装着できないような爪および凹部の位置関係を満たすことで実現できる。
【０１５２】
図１８は、第２の変換アダプタ７０の一方の端に設けられたカメラマウント１２０１におけるバヨネット爪の設置角度を例示的に説明する図である。図１８（ａ）は、背面側から見た、カメラマウント１２０１の円周方向において、ロックピン１２０２を基準としたカメラ爪およびカメラ凹部が占める角度範囲を説明した図である。図１８（ｂ）は、背面側から見た、カメラマウント１２０１の円周方向において、複数のカメラ爪１２０１ａ〜１２０１ｃに関して各爪が設けられている角度範囲を説明する図である。なお、第２の変換アダプタ７０のカメラマウント１２０１における各爪および凹部の設置角度は、前述したカメラ本体１０のカメラマウント２０１と同様なので説明は省略する。
【０１５３】
図１８（ｂ）に図示するように、カメラマウント１２０１の円周方向において、第３のカメラ爪１２０１ｃの第６の端１２０１ｃ２から第１のカメラ爪１２０１ａを含み第２のカメラ爪１２０１ｂの第３の端１２０１ｂ１までの角度をθ６（１６２°）とする。また、カメラマウント１２０１の円周方向において、第１のカメラ爪１２０１ａの第２の端１２０１ａ２から第２のカメラ爪１２０１ｂを含み第３のカメラ爪１２０１ｃの第５の端１２０１ｃ１までの角度をθ７（１６３°）とする。また、カメラマウント１２０１の円周方向において、第２のカメラ爪１２０１ｂの第４の端１２０１ｂ２から第３のカメラ爪１２０１ｃを含み第１のカメラ爪１２０１ａの第１の端１２０１ａ１までの角度をθ８（２１５°）とする。
【０１５４】
次に、図１９は、第２の変換アダプタ７０の他方の端に設けられたレンズマウント１５０１におけるバヨネット爪の設置角度を例示的に説明する図である。図１９（ａ）は、背面側から見た、レンズマウント１５０１の円周方向において、ロックピン１５０１ｚを基準としたレンズ爪およびレンズ凹部が占める角度範囲を説明した図である。図１９（ｂ）は、背面側から見た、レンズマウント１５０１の円周方向において、複数のレンズ凹部１５０１ａ〜１５０１ｃに関して各凹部が設けられている角度範囲を説明する図である。図１９（ｃ）は、図１９（ｂ）に図示するＧ−Ｇ´断面の断面図を示す。
【０１５５】
レンズマウント１５０１には円周方向（内径方向）に向かって、第１のレンズ爪１５０１ｄ、第２のレンズ爪１５０１ｅ、第３のレンズ爪１５０１ｆが順に設けられている。なお、図１９（ａ）に図示するようにレンズマウント１５０１を背面側から見た場合、ロック溝１５０１ｚから最も離れた位置に設けられたレンズ爪が第１のレンズ爪１５０１ｄである。そして、第１のレンズ爪１５０１ｄから時計回りに第２のレンズ爪１５０１ｅ、第３のレンズ爪１５０１ｆが順に設けられている。
【０１５６】
また、レンズマウント１５０１には円周方向（内径方向）に向かって、第１のレンズ凹部１５０１ａ、第２のレンズ凹部１５０１ｂ、第３のレンズ凹部１５０１ｃが順に設けられている。なお、図１９（ａ）に図示するようにレンズマウント１５０１を背面側から見た場合、ロック溝１５０１ｚに最も近い位置に設けられた凹部が第３のレンズ凹部１５０１ｃである。そして、第３のレンズ凹部１５０１ｃから時計回りに第１のレンズ凹部１５０１ａ、第２のレンズ凹部１５０１ｂが順に設けられている。
【０１５７】
なお、説明のために、レンズ爪１５０１ｄ、１５０１ｅ、１５０１ｆの円周方向における端部のそれぞれを、第１の端部１５０１ｄ１、第２の端部１５０１ｄ２、第３の端部１５０１ｅ１、第４の端部１５０１ｅ２、第５の端部１５０１ｆ１、第６の端部１５０１ｆ２と称する。それぞれの端部には、前述したようにレンズマウント１５０１を背面側から見た場合に、第１のレンズ爪１５０１ｄから時計周りで順に部番を付す。
【０１５８】
図１９（ａ）に図示するように、本実施形態では、各レンズ爪および各レンズ凹部の、レンズマウント１５０１の円周方向に占める角度（角度範囲）を、以下のように規定する。第１のレンズ爪１５０１ｄの角度は５３°、第２のレンズ爪１５０１ｅの角度は６２°、第３のレンズ爪１５０１ｆの角度は５３°である。すなわちレンズマウント１５０１側における各レンズ爪の角度は前述したレンズマウント３０１側におけるレンズ爪の角度と同一である。
【０１５９】
これに対して、レンズマウント１５０１側のレンズ凹部の角度は、前述したレンズマウント１３０１（３０１）側のレンズ凹部の角度と異なる。具体的に、第１のレンズ凹部１５０１ａの角度は６０°、第２のレンズ凹部１５０１ｂの角度は６６°、第３のレンズ凹部１５０１ｃの角度は６６°である。
【０１６０】
また、背面側からレンズ爪を見た場合に、レンズマウント１５０１の円周方向において各レンズ爪が配されるロック溝１５０１ｚの位置（基準位置と称す）を基準とした時計回りの角度は以下のように規定する。第１のレンズ爪１５０１ｄは、基準位置を起点に１５７°から２１０°の間に配置される。第２のレンズ爪１５０１ｅは、基準位置を起点に２７６°から３３８°の間に配置される。第３のレンズ爪１５０１ｆは、基準位置を起点に４４°から９７°の間に配置される。
【０１６１】
また、図１９（ｃ）に図示するように、レンズマウント１５０１側には、撮像装置に装着された際に、当該撮像装置の光軸と平行な方向への移動を規制する嵌合部１５０１ｘがレンズマウント１５０１の円周方向に設けられている。本実施形態では、レンズマウント１５０１側において、嵌合部１５０１ｘの光軸（レンズマウント１５０１の中心軸と略同一）と直交する方向における径（すなわち嵌合部１５０１ｘの内径）をマウント径とする。以上説明した、各カメラマウントおよびレンズマウントにおけるマウント径は略同一の長さであるとする。
【０１６２】
また、図１９（ｂ）に図示するように、レンズマウント１５０１の円周方向において、第３のレンズ爪１５０１ｆの第５の端１５０１ｆ１から第１のレンズ凹部１５０１ａを含み第１のレンズ爪１５０１ｄの第２の端１５０１ｄ２までの角度をθ９（１６６°）とする。また、レンズマウント１５０１の円周方向において、第１のレンズ爪１５０１ｄの第１の端１５０１ｄ１から第２のレンズ凹部１５０１ｂを含み第２のレンズ爪１５０１ｅの第４の端１５０１ｅ２までの角度をθ１０（１８１°）とする。また、レンズマウント１５０１の円周方向において、第２のレンズ爪１５０１ｅの第３の端１５０１ｅ１から第３のレンズ凹部１５０１ｃを含み第３のレンズ爪１５０１ｆの第６の端１５０１ｆ２までの角度をθ１１（１８１°）とする。
【０１６３】
第２の変換アダプタ７０に設けられたカメラマウント１２０１とレンズマウント１５０１との各爪と凹部の円周方向における角度を比較する。例えば、カメラマウント１２０１側における第３のカメラ爪の角度（９２°）は、レンズマウント１５０１側におけるレンズ凹部のうち最大の角度を有する第２、第３のレンズ凹部１５０１ｂ、１５０１ｃの角度（６６°）よりも大きい。すなわち、カメラマウント１２０１側における少なくとも１つのカメラ爪の角度が、レンズマウント１５０１側における最大の角度を有するレンズ凹部の角度よりも大きい。
【０１６４】
この場合、カメラマウント１２０１側の爪部とレンズマウント１５０１側の凹部のうち、少なくとも１つ以上のカメラ爪とレンズ凹部同士は互いに干渉する。したがって、カメラマウント１２０１側とレンズマウント１５０１側の光軸同士が略平行となるようにカメラ本体にレンズユニットを装着しようとしても、爪と凹部とが干渉するため、カメラ本体に対してレンズユニットを装着することはできない。
【０１６５】
しかしながら、前述した第１の変換アダプタでの説明と同様に、１つの爪と凹部とが互いに干渉しているだけでは、レンズマウント側の各凹部にカメラマウント側の各爪を挿入可能となる場合がある。例えば、カメラマウント側の光軸に対してレンズマウント側の光軸を斜めに傾けた状態で、カメラ爪の一端をレンズ凹部に挿入し、レンズマウントとカメラマウントとを相対的に回転させることで、カメラ本体に対してレンズユニットを装着できる場合がある。
【０１６６】
そこで、本実施形態では、円周方向において、カメラマウント１２０１側とレンズマウント１５０１側における爪および凹部を、θ６＜θ９、且つθ７＜θ１０を満たすように配設する。図２０は、本発明の実施形態に係るカメラマウント２０１（１２０１）側の基準となる凹部にレンズマウント１５０１（５０１）側の基準となる爪を装着しようとした際の、爪同士の干渉する様子を例示的に説明した図である。図２０（ａ）は、第３のレンズ爪１５０１ｆ（５０１ｆ）と第３のカメラ爪２０１ｃ（１２０１ｃ）とが干渉する様子を示し、図２０（ｂ）は、第２のレンズ爪１５０１ｅ（５０１ｅ）と第３のカメラ爪２０１ｃ（１２０１ｃ）とが干渉する様子を示している。
【０１６７】
図２０（ａ）、（ｂ）に図示するように、例えば、基準となる第１のレンズ爪１５０１ｄ（５０１ｄ）を基準となるカメラ凹部２０１ｄ（１２０１ｄ）に挿入しようとした場合、第３のカメラ爪２０１ｃ（１２０１ｃ）が第２、第３のレンズ爪１５０１ｅ（５０１ｅ）、１５０１ｆ（５０１ｆ）と干渉する。
【０１６８】
すなわち、背面側から見て、基準となる１つのレンズ爪と、その時計周り方向で隣接する他のレンズ爪と、これらのレンズ爪の間に位置するレンズ凹部の角度の総和を第１の角度とする。そして、背面側から見て、基準となる１つのカメラ凹部と、その時計回り方向で隣接する他のカメラ凹部と、その間に位置するカメラ爪部の角度の総和を第２の角度とする。また、背面側から見て、基準となる１つのレンズ爪と、その反時計周り方向で隣接する他のレンズ爪と、これらのレンズ爪の間に位置するレンズ凹部の角度の総和を第３の角度とする。さらに、背面側から見て、基準となる１つのカメラ凹部と、その反時計回り方向で隣接する他のカメラ凹部と、その間に位置するカメラ爪部の角度の総和を第４の角度とする。本実施形態では、上述した第１の角度が第２の角度よりも大きく第３の角度が第４の角度よりも大きくなるように、カメラマウント１２０１側とレンズマウント１５０１側における爪および凹部を配設すればよい。
【０１６９】
この構成により、少なくとも２つのレンズ爪と１つのカメラ爪とが互いに干渉する。したがって、対応しないレンズユニットが撮像装置に誤装着される、あるいは、変換アダプタの両端に設けられた各マウント部に対応しないレンズユニットおよび撮像装置が誤装着されるリスクを低減することができる。
【０１７０】
しかしながら、上記の条件を満たす場合であっても、例えば、３つの爪を対応しない凹部に挿入しようとした場合に、各爪および凹部の角度によっては、２つの爪が凹部に挿入されてしまう場合がある。
【０１７１】
そこで、本実施形態では、円周方向において、カメラマウント１２０１側とレンズマウント１５０１側における爪および凹部を、θ６＜θ９、θ６＜θ１０、θ６＜θ１１且つθ７＜θ９、θ７＜θ１０、θ７＜θ１１を満たすように配設する。すなわち、背面側から見て、前述した基準となるレンズ爪以外の２つの爪とその間に位置するレンズ凹部の総和を第５の角度とする。本実施形態では、前述した第２の角度および第４の角度が、第１の角度および第３の角度および第５の角度のいずれよりも小さくなるように、カメラマウント１２０１側とレンズマウント１５０１側における爪および凹部を配設すればよい。
【０１７２】
図２１は、本発明の実施形態に係るカメラマウント２０１（１２０１）側の基準となる凹部にレンズマウント１５０１（５０１）側の基準以外の爪を装着しようとした際の、爪同士の干渉する様子を例示的に説明した図である。図２１（ａ）は、第２のレンズ爪１５０１ｅ（５０１ｅ）を第１のカメラ凹部２０１ｄ（１２０１ｄ）に挿入しようとする場合の、第１のレンズ爪１５０１ｄ（５０１ｄ）と第３のカメラ爪２０１ｃ（１２０１ｃ）とが干渉する様子を示している。また、図２１（ｂ）は、第２のレンズ爪１５０１ｅ（５０１ｅ）を第１のカメラ凹部２０１ｄ（１２０１ｄ）に挿入しようとする場合の、第３のレンズ爪１５０１ｆ（５０１ｆ）と第３のカメラ爪２０１ｃ（１２０１ｃ）とが干渉する様子を示している。また、図２１（ｃ）は、第３のレンズ爪１５０１ｆ（５０１ｆ）を第１のカメラ凹部２０１ｄ（１２０１ｄ）に挿入しようとする場合の、第２のレンズ爪１５０１ｅ（５０１ｅ）と第３のカメラ爪２０１ｃ（１２０１ｃ）とが干渉する様子を示している。また、図２１（ｄ）は、第３のレンズ爪１５０１ｆ（５０１ｆ）を第１のカメラ凹部２０１ｄ（１２０１ｄ）に挿入しようとする場合の、第１のレンズ爪１５０１ｄ（５０１ｄ）と第３のカメラ爪２０１ｃ（１２０１ｃ）とが干渉する様子を示している。
【０１７３】
図２１（ａ）〜（ｄ）に図示するように、本実施形態では、レンズマウント１５０１とカメラマウント１２０１の相対的な回転角度に依らずに、少なくとも２つレンズ爪が１つのカメラ爪と干渉する。この構成により、レンズマウント５０１およびレンズマウント５０１を備えたレンズユニットおよび変換アダプタが、カメラマウント２０１およびカメラマウント１２０１を備えた撮像装置および変換アダプタに誤装着されることをより効果的に防止することができる。
【０１７４】
図２２は、本発明の実施形態に係るカメラマウント４０１側とレンズマウント５０１側のそれぞれに設けられた爪部同士を係合させた状態を例示的に説明する図である。なお、図２２は、カメラ本体６０に設けられたカメラマウント４０１と、第２のレンズ５０に設けられたレンズマウント５０１とが係合した状態を示している。図２２に図示するように、第１のレンズ爪５０１ｄは第１のカメラ凹部４０１ｄに挿入できる。また、第２のレンズ爪５０１ｅは第２のカメラ凹部４０１ｅに挿入できる。さらに、第３のレンズ爪５０１ｆは第３のカメラ凹部４０１ｆに挿入できる。すなわち、カメラマウント４０１側とレンズマウント５０１側とは、互いに直接装着に対応した組合せである。なお、図１０（ａ）に図示したように、カメラマウント２０１側とレンズマウント３０１側とは、互いに直接装着に対応した組合せである。
【０１７５】
以上説明したように、フランジバックの長い撮像装置（例えばカメラ本体６０）に対応するカメラマウント４０１（１４０１）と、フランジバックの長いレンズユニット（例えば第２のレンズ５０）に対応するレンズマウント５０１（１５０１）は互いに直接装着が可能である。しかしながら、フランジバックの短い撮像装置（例えばカメラ本体１０）に対応するカメラマウント２０１（１２０１）と、フランジバックの長いレンズユニット（例えば第２のレンズ５０）に対応するレンズマウント５０１（１５０１）は互いに直接装着ができない。また、フランジバックの短い撮像装置（例えばカメラ本体１０）に対応するカメラマウント２０１（１２０１）と、フランジバックの短いレンズユニット（例えば第１のレンズ１００）に対応するレンズマウント３０１（１３０１）は互いに直接装着が可能である。しかしながら、フランジバックの長い撮像装置（例えばカメラ本体６０）に対応するカメラマウント４０１（１４０１）と、フランジバックの短いレンズユニット（例えば第１のレンズ１００）に対応するレンズマウント３０１（１３０１）は互いに直接装着ができない。
【０１７６】
したがって、上述した本実施形態の構成を採用した撮像装置およびカメラアクセサリは、略同一のマウント径を有するが互いに対応しない撮像装置およびカメラアクセサリの誤装着を防止することができる。
【０１７７】
以上、本発明の好ましい実施形態について説明したが、本発明はこの実施形態に限定されず、その要旨の範囲内で種々の変形及び変更が可能である。例えば、前述した実施形態では、撮像装置の一例としてデジタルカメラを採用した場合について説明したが、デジタルビデオカメラやセキュリティカメラなど、デジタルカメラ以外の撮像装置を採用する構成であってもよい。
【０１７８】
また、前述した実施形態では、本発明を実施するカメラ用のアクセサリ（カメラアクセサリ）の一例として交換レンズ、および、所謂エクステンションチューブなどの変換アダプタなどの中間アクセサリ（アダプタ装置）を採用した場合について説明したが、これに限定されるものではない。例えば、カメラアクセサリとしては、前述した各撮像装置に設けられたカメラマウントに直接的に接続（結合）可能なアクセサリマウントを備えた機器であれば、どのようなものを採用してもよい。
【０１７９】
なお、前述した実施形態では、互いに対応するカメラマウントおよびアクセサリマウントの双方には、互いの装着状態において、電気的に接続が確立される一対の電気端子を備える構成について説明したが、これに限定されるものではない。例えば、互いに対応しない電気端子を備える構成であってもよい。例えば、カメラ本体１０に装着可能なカメラアクセサリに、カメラ本体１０側が備えない端子を設けるような構成であってもよい。
【０１８０】
また、前述した実施形態では、カメラマウントおよびアクセサリマウントの中心からの径が略同じとなる円周方向に沿って、各電気端子が順に配されている場合について説明したが、これに限定するものではない。例えば、円周方向に沿って配された各電気端子としては、カメラマウントおよびアクセサリマウントの中心からの径がそれぞれ異なるような構成であってもよい。この場合、各マウントの径方向における寸法は増加するが、端子間の摩耗を抑制することが可能である。
【０１８１】
また、前述した実施形態では、各マウントにおいて、円周方向に３つの爪を備えた場合について説明したが、前述した実施形態の条件を満たすものであれば、爪の数は３つに限定されるものではない。
【０１８２】
また、前述した実施形態における各マウントに設けられた３つの爪のそれぞれを、さらに細分化するように分割する構成であってもよい。すなわち、１つの爪を複数の爪からなる１つの爪群として形成する構成であってもよい。例えば、１つの爪に溝部を設けた場合が、これに該当する。この場合、各マウントの円周方向において配される爪群の角度範囲は、前述した実施形態の通りである。
【０１８３】
また、前述した実施形態では、各マウントのマウント径を、各マウントに設けられた嵌合部の内径として説明したが、これに限定されるものではない。例えば、各マウントにおいて、各マウントの中心軸（光軸と略同一）から複数の電気接点（端子）までの距離を半径とする内径をマウント径としてもよいし、各マウントの中心軸から爪あるいは凹部までの距離を半径とする内径をマウント径としてもよい。
【０１８４】
また、前述した実施形態では、カメラマウントとアクセサリマウントの何れかを備えた機器を他方のマウントを備えた機器に対して実際に回転させることで、双方の機器同士をバヨネット結合する構成について説明したが、これに限定されるものではない。例えば、カメラマウントとアクセサリマウント同士を相対的に回転させる構成を採用して、カメラマウントとアクセサリマウント同士のバヨネット結合を可能とする構成であってもよい。以下、この詳細について具体的に説明する。
【０１８５】
図２３は、本発明の変形例に係るマウント機構５０００の分解斜視図である。図２４は、本発明の変形例に係るマウント機構５０００の非結合状態について例示的に説明する図である。図２５は、本発明の変形例に係るマウント機構５０００の結合状態について例示的に説明する図である。なお、図２３〜２５においては、説明のために、マウント機構５０００の可動マウント部５０１０とバヨネット結合が可能なレンズマウント３０１を同時に図示している。また、前述した実施形態と同一の部材については説明を省略し同一の符号を付す。
【０１８６】
図２３に図示するように、本変形例のマウント機構５０００は、光軸３０００を中心軸として、レンズマウント３０１が取り付けられる側から順に、操作部５０３０、固定マウント部５０２０、可動マウント部５０１０、接点保持部材２０３の順に各部材が配されている。操作部材５０３０は、中心軸を中心に回転可能なリング状の操作手段であって、腕部５０４０により、可動マウント部５０１０とビスで固定されている。なお、本変形例では、中心軸に対して直交方向に配された２つの腕部５０４０を用いて、操作部材５０３０と可動マウント部５０１０とが計２箇所で固定されている。この構成により、操作部材５０３０が回転操作されることに応じて、可動マウント部５０１０も一体的に中心軸を中心として回転する。
【０１８７】
可動マウント部５０１０には、レンズマウント３０１に設けられたバヨネット爪３０１ｄ〜３０１ｆとそれぞれバヨネット結合が可能な可動マウント爪部５０１１ａ、５０１１ｂ、５０１１ｃが設けられている。また、可動マウント部５０１０には、中心軸回りにねじ切りされたねじ部５０１２が設けられており、可動マウント部５０１０の中心軸回りの回転に伴って、後述する固定マウント部５０２０のねじ部５０２２との螺合状態が変化する。
【０１８８】
固定マウント部５０２０には、レンズマウント３０１のマウント面と当接するカメラマウント面５０２１と、前述した可動マウント部５０１０のねじ部５０１２と螺合するねじ部５０２２が備えられている。固定マウント部５０２０は、前述した可動マウント部５０１０とは異なり、操作部材５０３０の回転操作に応じて、中心軸回りに回転することはない。
【０１８９】
次に、図２４、２５を参照して、本変形例に係るマウント機構のバヨネット結合方法について説明する。なお、レンズマウント３０１に設けられた各バヨネット爪は、操作部材５０３０の開口部分および固定マウント部５０２０の開口部分を挿通した状態で、可動マウント５０１０の可動マウント爪部５０１１ａ〜ｃと係合可能な状態となる。図２４（ａ）−（ｃ）に図示する状態は、操作部材５０３０が非ロック位置に位置する状態である。この状態では、レンズマウント３０１のレンズマント面と固定マウント部５０２０のカメラマウント面５０２１とを当接するが、中心軸方向から見て、レンズマウント３０１および可動マウント５０１０のそれぞれの爪部同士が互いに係合せず重ならない。図２４（ｃ）は、図２４（ｂ）に図示するＨ−Ｈ’断面の断面図を示す。この状態から、操作部材５０３０を回転操作した状態のマウント機構５０００を例示するのが図２５である。
【０１９０】
図２５に図示する状態は、操作部材５０３０がロック位置に位置する状態である。この状態では、中心軸方向から見て、レンズマウント３０１および可動マウント５０１０のそれぞれの爪部同士が互いに重なることで中心軸方向において係合する。そして、この状態では、操作部材５０３０の回転操作に伴って、固定マウント部５０２０のねじ部５０２２と可動マウント部５０１０のねじ部との螺合状態が変化し、可動マウント部５０１０が中心軸方向において、撮像装置側へと移動する。図２５（ｃ）は、図２５（ｂ）に図示するＩ−Ｉ’断面の断面図を示す。図２４（ｃ）および図２５（ｃ）に図示するように、マウント機構５０００の非ロック状態がロック状態に変化することに応じて、中心軸方向において、可動マウント部５０１０が固定マウント部５０２０から離れる方向に移動する。この構成により、レンズマウント３０１側のバヨネット爪と係合した状態の可動マウント爪部５０１１ａ〜５０１１ｃのそれぞれが、撮像装置側へと移動する。
【０１９１】
以上説明したように、本変形例のマウント機構５０００は、レンズマウント側の爪部と係合可能な爪部を備えた可動マウント部が中心軸回りに回転することにより、可動マウント部を固定マウント部に対して中心軸方向に移動させることが出来る。この構成により、本変形例のマウント機構５０００は、レンズマウントとカメラ側のマウントとの結合状態において、両者の間に生じる隙間（ガタ）の発生を低減することが出来る。
【０１９２】
なお、上述した変形例では、撮像装置側にマウント機構５０００を設ける構成について説明したが、例えば、交換レンズなどのカメラアクセサリ側にマウント機構５０００を備える構成に適用可能である。
【符号の説明】
【０１９３】
１０  カメラ本体（第１の撮像装置）
４０  第１の変換アダプタ
５０  第２のレンズユニット
６０  カメラ本体（第２の撮像装置）
７０  第２の変換アダプタ
１００  第１のレンズユニット
２０１  カメラマウント
２０１ａ、ｂ、ｃ  カメラ爪
２０１ｄ、ｅ、ｆ  カメラ凹部
３０１  レンズマウント
３０１ａ、ｂ、ｃ  レンズ凹部
３０１ｄ、ｅ、ｆ  レンズ爪
４０１  カメラマウント
４０１ａ、ｂ、ｃ  カメラ爪
４０１ｄ、ｅ、ｆ  カメラ凹部
５０１  レンズマウント
５０１ａ、ｂ、ｃ  レンズ凹部
５０１ｄ、ｅ、ｆ  レンズ爪
１２０１ａ、ｂ、ｃ  カメラ爪
１２０１ｄ、ｅ、ｆ  カメラ凹部
１３０１  レンズマウント
１３０１ａ、ｂ、ｃ  レンズ凹部
１３０１ｄ、ｅ、ｆ  レンズ爪
１４０１  カメラマウント
１４０１ａ、ｂ、ｃ  カメラ爪
１４０１ｄ、ｅ、ｆ  カメラ凹部
１５０１  レンズマウント
１５０１ａ、ｂ、ｃ  レンズ凹部
１５０１ｄ、ｅ、ｆ  レンズ爪
【図１】
2020024464.tif 000003
【図２】
2020024464.tif 000004
【図３】
2020024464.tif 000005
【図４】
2020024464.tif 000006
【図５】
2020024464.tif 000007
【図６】
2020024464.tif 000008
【図７】
2020024464.tif 000009
【図８】
2020024464.tif 000010
【図９】
2020024464.tif 000011
【図１０】
2020024464.tif 000012
【図１１】
2020024464.tif 000013
【図１２】
2020024464.tif 000014
【図１３】
2020024464.tif 000015
【図１４】
2020024464.tif 000016
【図１５】
2020024464.tif 000017
【図１６】
2020024464.tif 000018
【図１７】
2020024464.tif 000019
【図１８】
2020024464.tif 000020
【図１９】
2020024464.tif 000021
【図２０】
2020024464.tif 000022
【図２１】
2020024464.tif 000023
【図２２】
2020024464.tif 000024
【図２３】
2020024464.tif 000025
【図２４】
2020024464.tif 000026
【図２５】
2020024464.tif 000027